(57)【特許請求の範囲】
【請求項１】
機能性を制御する装置であって、
前記装置とデバイスとの間の２つ以上のデータを取得する手段であって、前記データの各々は、距離に関連する手段と、
前記データの各々が規定された基準を満たす時間量を取得する手段であって、前記時間量は指定期間の間の時間量である手段と、
少なくとも１つの機能の第１の集合を実行することを前記デバイスに要求することを前記装置が許されるかどうかを、前記データの２つ以上の組み合わせと、前記指定期間の間の前記時間量と、に基づいて制御する手段と、
前記少なくとも１つの機能の第１の集合を実行する要求を前記デバイスへ送信する手段と、を備え、
ここにおいて、前記制御は、前記少なくとも１つの機能の第１の集合を実行することを前記デバイスに要求するように前記装置を動作可能にすることを備え、
前記装置は、
前記デバイスに対する少なくとも１つの距離を決定する手段と、
前記データを生成する手段であって、前記少なくとも１つの決定された距離が前記装置と前記デバイスとの間の複数の決定された距離を備える場合には、前記データの各々は、前記複数の決定された距離に関連する決定されたシーケンスを備える、手段と、
前記データの各々を規定されたシーケンスと比較する手段と、
を更に備え、
前記制御は、前記比較する手段の比較結果に基づいて、前記少なくとも１つの機能の第１の集合を実行することを前記デバイスに要求するように前記装置を動作可能にすることを備える、装置。
【請求項２】
機能性を制御する装置であって、
前記装置とデバイスとの間の２つ以上のデータを取得する手段であって、前記データの各々は、距離に関連する手段と、
前記データの各々が規定された基準を満たす時間量を取得する手段であって、前記時間量は指定期間の間の時間量である手段と、
少なくとも１つの機能の第１の集合を実行することを前記デバイスに要求することを前記装置が許されるかどうかを、前記データの２つ以上の組み合わせと、前記指定期間の間の前記時間量と、に基づいて制御する手段と、
前記少なくとも１つの機能の第１の集合を実行する要求を前記デバイスへ送信する手段と、を備え、
ここにおいて、前記制御は、前記少なくとも１つの機能の第１の集合を実行することを前記デバイスに要求しないように前記装置を動作不能にすることを備え、
前記装置は、
前記少なくとも１つの決定された距離を決定する手段と、
前記データを生成する手段であって、前記少なくとも１つの決定された距離が前記装置と前記デバイスとの間の複数の決定された距離を備える場合には、前記データの各々は、前記複数の決定された距離に関連する決定されたシーケンスを備える、手段と、
前記データの各々を規定されたシーケンスと比較する手段と、
を更に備え、
前記制御は、前記比較する手段の比較結果に基づいて、前記少なくとも１つの機能の第１の集合を実行することを前記デバイスに要求するように前記装置を動作可能にすることを備える、装置。
【請求項３】
前記データの各々を規定された閾値と比較する手段を更に備え、もし前記データが前記規定された閾値よりも小さいか前記規定された閾値と等しければ、前記制御は、前記少なくとも１つの機能の第１の集合を実行することを前記デバイスに要求するように前記装置を動作可能にすることを備える、請求項１に記載の装置。
【請求項４】
前記データの各々は、
前記装置と前記デバイスとの間の決定された距離、
前記装置と前記デバイスとの間の相対距離における決定された変化率、又は
前記装置と前記デバイスとの間の決定された相対加速度
を備える、請求項３に記載の装置。
【請求項５】
前記データの各々を規定された閾値と比較する手段を更に備え、もし前記データが前記規定された閾値よりも大きいか前記規定された閾値と等しければ、前記制御は、前記少なくとも１つの機能の第１の集合を実行することを前記デバイスに要求しないように前記装置を動作不能にすることを備える、請求項１に記載の装置。
【請求項６】
前記データの各々は、
前記装置と前記デバイスとの間の決定された距離、
前記装置と前記デバイスとの間の相対距離における決定された変化率、又は
前記装置と前記デバイスとの間の決定された相対加速度
を備える、請求項５に記載の装置。
【請求項７】
前記データの各々を規定された値の範囲と比較する手段を更に備え、前記制御は、前記データが前記規定された値の範囲に入るかどうかに更に基づく、請求項１に記載の装置。
【請求項８】
前記データの各々は、
前記装置と前記デバイスとの間の決定された距離、
前記装置と前記デバイスとの間の複数の決定された距離、
前記装置と前記デバイスとの間の相対距離における決定された変化率、又は
前記装置と前記デバイスとの間の決定された相対加速度
を備える、請求項７に記載の装置。
【請求項９】
前記決定されたシーケンスは、
前記装置と前記デバイスとの間の決定された距離のシーケンス、
前記装置と前記デバイスとの間の相対距離における決定された変化率のシーケンス、又は
前記装置と前記デバイスとの間の決定された相対加速度のシーケンス
を備える、請求項８に記載の装置。
【請求項１０】
前記装置と前記デバイスとの間の前記少なくとも１つの距離を反復して決定する手段を更に備え、
前記制御する手段は、
前記少なくとも１つの機能の第１の集合を実行することを前記デバイスに要求するように前記装置を動作可能にすること、又は
前記少なくとも１つの機能の第１の集合を実行することを前記デバイスに要求しないように前記装置を動作不能にすること
を継続するかどうかを、前記反復して決定された少なくとも１つの距離に基づいて反復して決定する、請求項１に記載の装置。
【請求項１１】
前記制御する手段は、少なくとも１つの公開又は秘密暗号鍵に基づいて前記デバイスを前記装置に対して認証する手段を備える、請求項１に記載の装置。
【請求項１２】
入力する手段を更に備え、
前記制御する手段は、
前記装置の前記入力する手段の作動の時間を表す第１のデータを受け取り、
前記デバイスの入力する手段の作動の時間を表す第２のデータを受け取り、
前記第１のデータを前記第２のデータと比較して、前記装置の前記入力する手段の作動が、前記デバイスの前記入力する手段の作動と同時に起こったかどうかを決定する、請求項１に記載の装置。
【請求項１３】
前記制御する手段は、前記装置の機能性を動作可能にして前記要求を生成する、請求項１に記載の装置。
【請求項１４】
前記機能性を動作可能にすることは、前記データを生成する手段上に表示を提供することを備える、請求項１３に記載の装置。
【請求項１５】
前記装置と前記デバイスとの間の前記少なくとも１つの距離を、前記デバイスへ送信される前記要求の到着時刻の測定に基づいて決定する手段を更に備える、請求項１に記載の装置。
【請求項１６】
前記デバイスから測距関連情報を受け取る手段を更に備え、
前記装置は、前記装置と前記デバイスとの間の前記少なくとも１つの距離を、前記測距関連情報に基づいて決定する手段を更に備える、請求項１に記載の装置。
【請求項１７】
前記デバイスから超広帯域パルスを受け取る手段を更に備え、
前記装置は、前記装置と前記デバイスとの間の前記少なくとも１つの距離を、前記超広帯域パルスに基づいて決定する手段を更に備える、請求項１に記載の装置。
【請求項１８】
前記超広帯域パルスは、おおよそ２０％以上の比帯域幅を有し、おおよそ５００ＭＨｚ以上の帯域幅を有し、又は、おおよそ２０％以上の比帯域幅で且つおおよそ５００ＭＨｚ以上の帯域幅を有する、請求項１７に記載の装置。
【発明の詳細な説明】
【技術分野】
【０００１】
［３５Ｕ.Ｓ.Ｃ.§１１９による優先権主張］
本願は、代理人ドケット第０６０９９９Ｐ１号へ割り当てられた２００６年４月１４日に出願された米国仮特許出願第６０／７９２,０３４号、及び代理人ドケット第０６１８８６Ｐ１号へ割り当てられた２００７年３月２７日に出願された米国仮特許出願第６０／９０８,２７１号の利益及び優先権を主張する。これらの仮特許出願の各々は本願の譲受人へ譲渡され、これら仮特許出願の各々の開示は本明細書で参照により、本明細書に組み込まれる。
【０００２】
本願は、一般的には無線通信に関し、無線通信デバイスにおける距離ベースの機能性に関する。
【背景技術】
【０００３】
無線通信システムにおいて、２つ以上の無線デバイスが相互に通信することを可能にするために、また、幾つかのアプリケーションでは１つの無線デバイスが他の無線デバイスによって提供された機能性へのアクセスを可能にするために、様々な準備(provisions)がなされる。例えば、或る無線デバイスが他の無線デバイスのカバレージエリアへ入ると、無線デバイスは２つのデバイスが相互に通信できるように関連づけ動作を実行する。
【０００４】
幾つかのアプリケーションにおいては、デバイスは、他のデバイスからの通信に応答する前に、又は他のデバイスからの機能性へのアクセス要求に応答する前に、他のデバイスの真偽に関して或るレベルの確実性を要求する。例えば、販売時点管理の応用において、第１のデバイスはディジタル財布機能を含み、第２のデバイスは電子キャッシュレジスタの機能を含む。この場合、第１のデバイスは、金銭の振替を認可する前に、第２のデバイスが実際に意図された受取人であることを検証する。他の例はセットトップボックスで、（例えば、認可されたデバイスを使用する）認可された人物のみがセットトップボックスによって提供されるコンテンツの制御又はアクセスを許されることを保証するように、セットトップボックスが構成される。
【０００５】
他の例において、第三者が携帯電話とヘッドセットとの間の無線通信を盗聴しないようにするため、各デバイスは認可されたデバイスとの通信のみを確立することを保証する。例えば、Bluetooth（登録商標）動作が可能デバイスが経験している１つの攻撃は、或る人物がBluetoothヘッドセットを装着し、第三者が高利得指向性アンテナを使用してヘッドセットと通信する場合である。このシナリオにおいて、第三者はマイクロホンをアクティブ化して、人物の周囲及び会話を聴取するかも知れない。
【０００６】
相互にデバイスを認証し、あるいは、デバイス間の通信を保証するために様々な手法が採用される。例えば、幾つかのインプリメンテーションにおいて、デバイス間で送られるデータは、１つ又は複数の公開又は秘密鍵を使用して暗号化される。しかし、実際には、弱い鍵がしばしば採用され、あるいは鍵交換プロセスが危険にさらされる。例えば、Bluetoothは、所与のデバイスとの通信を保証するプロトコルをサポートするが、実際には、大部分のユーザはこのセキュリティ・プロトコルを動作可能にすることができないか、容易に危険にさらされる比較的簡単なセキュリティ鍵を使用する。更に、幾つかの従来のセキュリティ・プロトコルは、鍵を解読するためには計算が極めて複雑であることが必要であるという仮定に基づいている。しかしながら、鍵が放出された後、より効率的な計算方法が発見されるかも知れない。しかも、そのようなセキュリティ・プロトコルを破るために使用される型のデバイスの計算能力は、そのようなデバイスのより新しい版が開発されるにつれて増加を続けている。
【０００７】
上記の観点から、デバイス間の通信及び他のインタラクションを保証するより一層効果的な方法が必要である。
【発明の概要】
【０００８】
開示の実例的態様の要約は次のとおりである。態様という用語へのあらゆる参照は、開示の１つ又は複数の態様を意味するものと理解されたい。
【０００９】
本願は、幾つかの態様においては、デバイス間の少なくとも１つの距離(distance)に基づいてある動作を実行することに関する。例えば、２つのデバイス間の距離又は相対移動のような距離関連機能(distance-related function)を決定するために様々な手法が採用される。次に、決定された距離機能が指定の基準を満たすかどうかについて決定が行われる。そして、もし満たすならば対応する行動が取られる。
【００１０】
幾つかの態様において、デバイスは、１つ又は複数の決定された距離に基づいて他のデバイスと協同して或る動作を実行する。例えば、２つ以上のデバイスは、距離ベースの基準に基づいて相互を認証する。そのような認証は、様々な形態を取り、様々な動作を伴う。
【００１１】
幾つかの態様においては、１つ以上の距離ベース基準(distance-based criterion)が使用され、或るデバイスが他のデバイスに１つ又は複数の機能の実行を要求することが許されるかどうかを制御する。例えば、デバイスは、デバイスが相互に１つ又は複数の距離範囲の中にあるかどうか、及び／又は、或る方法で相互に移動されるかどうかに基づいて、１つ又は複数の機能の実行を他のデバイスに要求するように動作可能にされるか、要求しないように動作不能にされる。
【００１２】
幾つかの態様においては、デバイスが他のデバイスによって要求された１つ以上の機能を実行するかどうかを制御するために、１つ以上の距離ベース基準が使用される。例えば、デバイスは、デバイスが相互に１つ以上の距離範囲の中にあるかどうか、及び／又は或るやり方で相互に移動されるかどうかに基づいて、１つ以上の機能を実行するように動作可能にされるか、実行しないように動作不能にされる。
【００１３】
本明細書で教示される距離関連機能は、様々な形態を取り得る。例えば、そのような機能は、デバイス間の１つの距離、もしデバイスが相互に関して移動されるならばデバイス間の２つ以上の距離、デバイス間の相対距離の変化率(rate of change in relative distance)、デバイス間の相対加速度(relative acceleration)、他のいくつかの距離関連機能、あるいはこれら距離関連機能の２つ以上の組み合わせに関連する。
【００１４】
本明細書で教示される距離関連機能は、様々な方法でインプリメントされる。例えば、距離は、信号が１つのデバイスから他のデバイスへ進み、そして戻るのにかかる時間（例えば、往復時間）を決定することによって測定される。そのような往復時間は、例えば、双方向測距を使用して、あるいは、デバイス間で質問及び応答信号を送ることによって計算される。距離は、更に、到着時刻測定又は受信電力測定を使用して決定されてもよい。相対距離における変化率は、例えば、到着時刻測定、受信電力測定、加速度読み取り、イメージング技術、電磁場における変化の検出、又はドップラー偏移の検出を使用して決定されてもよい。デバイス間の相対加速度は、相対距離データにおける変化率から決定できる。
【００１５】
開示のこれら及び他の特徴、態様、及び利点は、下記の詳細な説明、添付された特許請求の範囲、及び付随する図面に関して考察されるとき、一層十分に理解されるであろう。
【００１６】
通常の慣行に従って、図面中で示された様々な特徴は一定の縮尺で描かれてはいない。したがって、様々な特徴の寸法は、明瞭を目的として恣意的に拡張及び縮小されている。しかも、図面の幾つかは、明瞭を目的として単純化されている。そのため、図面は所与の装置（例えば、デバイス）あるいは方法のコンポーネントの全てを描写していないかも知れない。最後に、同様の参照番号は明細書及び図面を通して同様の特徴を示すために使用されている。
【図面の簡単な説明】
【００１７】
【図１】図１は、距離ベース動作を実行するように適応された通信システムの幾つかのサンプル態様の簡単なブロック図である。
【図２】図２は、要求に応答して１つ又は複数の機能を実行するデバイスによって実行されてよい動作の幾つかのサンプル態様のフローチャートである。
【図３Ａ】図３Ａは、１つ又は複数の機能の実行を他のデバイスに要求するため、或るデバイスによって実行されてよい動作の幾つかのサンプル態様のフローチャートである。
【図３Ｂ】図３Ｂは、１つ又は複数の機能を実行するための他のデバイスへの要求と連動して実行されてよい動作の幾つかのサンプル態様のフローチャートである。
【図４】図４は、１つ又は複数の機能の実行を他のデバイスに要求するように適応された無線デバイスの幾つかのサンプル態様の簡単なブロック図である。
【図５】図５は、要求に応答して１つ又は複数の機能を実行するように適応された無線デバイスの幾つかのサンプル態様の簡単なブロック図である。
【図６】図６は、少なくとも１つの距離を決定するため、デバイスによって実行されてよい動作の幾つかのサンプル態様のフローチャートである。
【図７】図７は、１つ又は複数の機能を実行する要求を認可することと連動して実行されてよい動作の幾つかのサンプル態様のフローチャートである。
【図８】図８は、距離ベース動作を実行するように適応された無線デバイスの幾つかのサンプル態様の簡単なブロック図である。
【図９】図９は、通信コンポーネントの幾つかのサンプル態様の簡単なブロック図である。
【図１０】図１０は、距離ベース動作を実行するように適応されたデバイスの幾つかのサンプル態様の簡単なブロック図である。
【詳細な説明】
【００１８】
開示の様々な態様は下記で説明される。本明細書の教示は多様な形態で具体化されてよく、ここで開示される任意の具体的な構造、機能、又はこれらの双方は単に代表であるにすぎない。本明細書の教示に基づいて、当業者は、本明細書で開示される１つの態様が任意の他の態様から独立してインプリメントされてよいこと、及びこれらの態様の２つ以上が様々な方途で組み合わせられてよいことを理解すべきである。例えば、本明細書で記述される任意の数の態様を使用して装置がインプリメントされ、あるいは方法が実施されてよい。しかも、他の構造、機能、又は本明細書で記述される態様の１つ又は複数に加えて、又はこれら以外の構造及び機能を使用して、そのような装置がインプリメントされ、あるいは、そのような方法が実施されてよい。例えば、幾つかの態様においては、デバイスが他のデバイスによって要求された１つ以上の機能を実行するかどうかを制御するために１つ以上の距離ベース基準が使用される。加えて、幾つかの態様においては、デバイスが他のデバイスによって要求された１つ又は複数の機能を実行するかどうかを制御するために、決定された時間量も使用される。
【００１９】
図１は、通信システム１００の例示的態様を図解し、第１のデバイス１０２は無線通信リンク１０６を経由して第２のデバイス１０４と通信する。１つの例として、デバイス１０２はデバイス１０４の無線カバレージエリアに入り（その逆も同様）、次に、デバイス１０２及び１０４を動作可能にして通信させ、さもなければ相互にインタラクトさせるために、下記で説明されるような様々な準備がなされる。具体的には、デバイス１０２及び１０４は機能性を含み、この機能性によって、デバイス１０２と１０４との間の１つ以上の距離関係に従って、１つ以上の動作が起動、終了、又は実行される。
【００２０】
図１の例におけるデバイス１０２及び１０４は、距離の決定及び関連動作に関連する機能を提供するコンポーネントを強調するために、簡略化して描写されている。具体的には、デバイス１０２は、１つ以上の機能の実行を他のデバイス（例えば、デバイス１０４）に要求する、デバイス中で採用されるコンポーネントを強調するために描写される。逆に、デバイス１０４は、デバイスの中で採用されて、デバイス１０２と１０４との間の１つ以上の距離を決定し、決定された距離及び他のデバイス（例えば、デバイス１０２）からの要求に基づいて１つ以上の機能を実行するコンポーネントを強調するように描写されている。
【００２１】
一般的に、所与のデバイスは、デバイス１０２のために描写された機能、デバイス１０４のために描写された機能、あるいはこれらの或る組み合わせを組み込む。例えば、いずれのデバイスも、距離を決定するかデバイスの他方による距離決定を容易にする機能を含む。また、デバイスのいずれも、距離決定に基づいて１つ以上の動作を実行する。
【００２２】
幾つかの態様において、第１のデバイス（例えば、デバイス１０４）は認証手続きをインプリメントし、この認証手続きによって、第２のデバイス（例えば、デバイス１０２）はデバイスに関連づけられた距離関連機能が指定基準(specified criterion)を満たす場合にのみ、第１のデバイスへアクセスすることを許される。そのような基準は、例えば、デバイス１０２がデバイス１０４の１つ以上の指定された距離（例えば、距離範囲）の中にあるか、又はデバイス１０４に関して指定された方法で移動されるかどうか、あるいはその逆の関係であるかを伴う。
【００２３】
認証手続きの簡単な例は次のとおりである。最初に、デバイス１０２はアクセスを求める要求をデバイス１０４へ送る。図１の例において、要求発生器１０８はトランシーバ１１２の送信機１１０と協力して、デバイス１０４のトランシーバ１１６の受信機１１４へ要求を送信する。デバイス１０２は、例えば、デバイス１０４が接続されるネットワークへの接続を要求するため、又はデバイス１０４によって制御される（例えば、デバイス１０４に記憶されるか、デバイス１０４を通過する）或る情報へアクセスすることを要求するため、又は或る動作の実行をデバイス１０４に要求するため、又はデバイス１０４にデバイス１０２のアイデンティティを検証させる他の或る要求を行うために、デバイス１０４へのアクセスを要求する。
【００２４】
デバイス１０４は、デバイス１０２から要求を受け取った後、デバイス１０２と１０４との間の距離を測定する。下記で一層詳細に説明されるように、デバイス１０４は様々な測距手法の１つ以上を採用してこの距離を測定する。図１の例を再び参照すると、典型的なインプリメンテーションにおいて、デバイス１０４の距離決定器コンポーネント１１８は送信機１２０及び受信機１１４と協力して、測距信号をそれぞれ送信及び受信する。幾つかのインプリメンテーションにおいて、デバイス１０２の受信機１２２及び送信機１１０は、トランシーバ１１６と協力して、それぞれ測距信号を受信及び送信する。
【００２５】
幾つかの態様において、複数の距離測定がこのステップで行われる。例えば、距離ベース機能は２つのデバイス間の相対移動に関連する。そのような相対移動は、幾つかの態様において、デバイス間の相対距離、デバイス間の相対移動、又はデバイス間の相対加速度のシーケンスを含む。
【００２６】
距離を測定した後、デバイス１０４（例えば、コントローラ１２４）は、デバイス１０２と１０４との間の各々の測定された距離が指定された基準を満たすかどうかを決定する。もし基準が満たされるならば、デバイス１０４（例えば、機能制御コンポーネント１２６）はデバイス１０２からの要求を許可する。したがって、デバイス１０４の機能プロセッサ１２８は１つ以上の機能を実行して、要求されたアクセスを提供する。
【００２７】
指定された基準は、所与のアプリケーションの要件に基づいて様々な形態を取り得る。例えば、幾つかのアプリケーションにおいては、基準は、測定された距離が閾値距離よりも小さいかどうかである。幾つかのアプリケーションにおいては、基準は、測定された距離が一対の距離（例えば、Ｄ１及びＤ２）の間に入るかどうかである。幾つかのアプリケーションにおいては、基準は、デバイス（例えば、デバイス１０２）が既定のシーケンス（例えば、パターン）に基づいて他のデバイス（例えば、デバイス１０４）に関して一連の範囲の中へ移動し、そしてこの範囲の外へ移動しなければならないことを指定する。
【００２８】
幾つかの態様においては複数の距離ベース基準が採用され、異なるレベルのセキュリティ（例えば、アクセス制御）を提供する。一般的に、対応する認可距離(authorization distance)（例えば、Ｄ１、Ｄ２、．．．、Ｄｎ）に関連づけられた複数レベルのアクセス（例えば、Ａ１、Ａ２、．．．、Ａｎ）が存在する。ここで、デバイス１０４は、デバイス１０２への距離を測定し、測定された距離を認可距離と比較して、デバイス１０２へ提供されるべきアクセスのレベルを決定する。
【００２９】
１つの使用実例の場合、もし遠隔制御デバイス（例えば、デバイス１０２）がセットトップボックス（例えば、デバイス１０４）の１メートル内にあるならば、デバイス１０２はペイ・パー・ビュー購買を行うように認可される。もしデバイス１０２がセットトップボックスの５メートル内にあるならば（例えば、もしユーザが同じ室の中に居れば）、デバイス１０２はチャンネルを変更することを認可される。対照的に、もしデバイス１０２がセットトップボックスから５メートルよりも遠くに離れていれば（例えば、もしユーザが室から立ち去ったのであれば）、デバイス１０２はセットトップボックスへのアクセスを許可されない。
【００３０】
他の使用実例の場合は携帯電話と周辺デバイス（例えば、ヘッドセット）との間の通信に関連する。ここで、ヘッドセット及び携帯電話は、これらが０.５メートル以内で離れているときにのみ対として一緒にされる。加えて、一度ヘッドセット及び携帯電話が対として一緒にされると、これらは１.５メートル以内で離れている場合に相互に通信する。このため、もしヘッドセット及び携帯電話が１.５メートルよりも遠く離れているならば、ヘッドセットは呼をセットアップするか呼を切ることを許可されない。
【００３１】
幾つかの態様においては、デバイス間の通信は進行中のトランザクションを備える。例えば、トランザクションはデバイス１０４からデバイス１０２へのマルチメディア・ストリームの送信を伴う。そのような場合、デバイス１０４はデバイス１０２への距離を定期的に測定して、トランザクションを継続するかどうかを決定する。幾つかの態様においては、トランザクションを継続するかどうかの決定と併せて、試行錯誤的手法が採用されてよい。例えば、もしデバイス間の距離が所与の期間に指定された基準（例えば、最大距離閾値）を満たさないならば、トランザクションは終了される。上記で検討されたセットトップボックスの例を参照すると、もし認可された視聴者が指定期間を超えて室を離れるならば、コンテンツへのアクセス（例えば、映画の上映）は動作不能にされる。
【００３２】
幾つかのアプリケーションは上記の基準の１つ又は複数を採用する。例えば、基準は２つの距離Ｄ１及びＤ２を指定し、Ｄ１はＤ２よりも小さいか等しい。しかも、基準は、トランザクションをスタートするためにはデバイス間の距離がＤ１よりも小さくなければならないこと、及び、トランザクションを継続するためにはデバイス間の距離がＤ２よりも小さくなければならないことを指定する。
【００３３】
幾つかの態様においては、デバイス１０２がデバイス１０４へのアクセスを要求するかどうかを制御するために用意がされる。例えば、コントローラ１３０は要求制御コンポーネント１３２を備え、要求制御コンポーネント１３２は要求発生器１０８が要求をデバイス１０４へ送るかどうかを制御する。幾つかのインプリメンテーションにおいては、この制御は距離関連機能に基づく。それゆえ、デバイス１０２は距離決定器コンポーネント１３４を含む。距離決定器コンポーネント１３４は本明細書で説明されるようにデバイス１０２と１０４との間の１つ又は複数の距離を測定する。
【００３４】
上記のことから、本明細書の教示が２つ以上のデバイスについて基本レベルのセキュリティを提供するために採用されることが理解されよう。このセキュリティは独立にインプリメントされるか、他の認証形態と併せてインプリメントされる。後者のシナリオの例として、第１のデバイスが１つ又は複数の公開又は秘密暗号鍵を使用して第２のデバイスを認証する認証手続きのために、距離ベースのセキュリティ手続きがセキュリティ（例えば、認証）の追加層として使用される。従来の慣行に従って、第１及び第２のデバイスは、或る形態の鍵交換プロトコルを経由して暗号鍵を取得する。
【００３５】
上記の概説を念頭に置き、図２及び図３Ａのフローチャート及び図４及び図５のブロック図を併用して、距離ベース動作をより詳細に説明する。図２は、例えば、１つ又は複数の機能を実行する要求に応答して実行される動作に関する。図３Ａは、例えば、１つ又は複数の機能の実行を他のデバイスに要求するために実行される動作に関する。図４は、１つ又は複数の機能の実行を他のデバイスに要求するサンプルデバイス４０２（例えば、図１のデバイス１０２と類似）の幾つかの機能コンポーネントを図解する。図５は、１つ又は複数の機能を実行するサンプルデバイス５０２（例えば、デバイス１０４と類似する）の幾つかの機能コンポーネントを図解する。便宜上、図２及び図３Ａの動作（又は、本明細書で検討される他の動作）は、特定のコンポーネント（例えば、デバイス４０２及び５０２）によって実行されるものとして説明される。しかしながら、これらの動作は、他のコンポーネントと併用して、及び／又は他のコンポーネントによって、及び、幾つかの場合には、異なる数のコンポーネントを使用して実行されてよいことを理解すべきである。更に、本明細書で説明される動作の１つ又は複数は、所与のインプリメンテーションでは採用されないかも知れないことを理解すべきである。
【００３６】
先に図５を参照すると、デバイス５０２は距離機能決定器コンポーネント（今後は、距離決定器５０４と呼ぶ）を含む。距離決定器は１つ又は複数の距離関連パラメータの決定に関連する様々な機能を実行するように適応される。例えば、距離決定器５０４は、デバイス４０２と５０２との間の絶対距離、デバイス４０２と５０２との間の２つ以上の距離（例えば、デバイス４０２及び５０２が相互に関して移動される場合）、デバイス４０２と５０２との間の相対距離の変化率、デバイス４０２と５０２との間の相対加速度、又は他の距離関連機能を決定する。下記で一層詳細に検討されるように、距離決定器５０４は適当なコンポーネントを含むか、又は１つ又は複数の他のコンポーネント（例えば、トランシーバ５１０）と協力して、デバイス４０２と５０２との間の距離を決定してよい。
【００３７】
デバイス５０２は、更に、表示生成器５１２を含む。表示生成器５１２は、決定された距離パラメータに関連する表示を生成するように適応される。例えば、表示生成器５１２は、決定された絶対距離、相対距離における変化率、相対加速度などの表示を生成する。さらに、表示生成器５１２は比較器５１４を含む。比較器５１４は、決定された距離をデバイス５０２の中に（例えば、データメモリ中に）保持されている距離比較パラメータ５１６（例えば、閾値）と比較する。次に、表示生成器５１２は、比較に従って比較結果の表示を生成する。幾つかの態様において、距離比較パラメータ５１６は１つ又は複数の距離閾値５４４、１つ又は複数の距離変化率閾値５４６、１つ又は複数の加速度閾値５５０、及び１つ又は複数の規定されたシーケンス５４８を備える。こうして、１つのタイプの比較結果表示は、決定された距離が最大距離閾値よりも小さいことを表示する。
【００３８】
デバイス５０２はコントローラ５１８（例えば、プロセッサ）を含む。コントローラ５１８は少なくとも１つの決定された距離に基づいて様々な動作を実行するようにされている。例えば、コントローラ５１８は、表示の値に依存して、及び、任意的にタイマ５３２によって提供された距離関連タイミング情報に基づいて、１つ又は複数の動作を呼び出す(invoke)。幾つかの態様において、デバイス５０２は機能プロセッサ５２６を含む。機能プロセッサ５２６は、表示に基づいて１つ又は複数の機能（例えば、第１の機能５２８及び第２の機能５３０）を実行するか、実行を容易にするように適応される。追加として、又は代替として、コントローラ５１８及び／又は機能プロセッサ５２６によって実行される１つ又は複数の動作は、いくつかの方法で表示を利用してもよい。
【００３９】
図５の例において、コントローラ５１８は機能性を提供し、この機能性は認証に関連し、また１つ又は複数の機能を動作可能にするか動作不能にすることに関連する。例えば、認証手続き、機能、又はこれらの双方が呼び出され、あるいは、デバイス４０２と５０２との間の所与の距離関連関係に依存する。それゆえ、コントローラ５１８は、認証プロセッサ５２０、１つ以上の機能を動作可能にするコンポーネント５２２、及び１つ以上の機能を動作不能にするコンポーネント５２４の機能性を提供するように適応された１つ又は複数のコンポーネントを備える。
【００４０】
ここで図４を参照すると、デバイス４０２は、デバイス５０２の対応するコンポーネントと連動して動作する幾つかのコンポーネントを含む。例えば、デバイス４０２はトランシーバ４１０を含む。トランシーバ４１０は１つ又は複数の無線通信リンク（例えば、図１のリンク１０６）を経由して１つ又は複数の無線デバイス（例えば、デバイス５０２のトランシーバ５１０）と通信するようにされている。デバイス４０２は、更に、コントローラ４１８を含み、コントローラ４１８はコントローラ５１８の機能性と相補的な機能性を提供する。例えば、コントローラ４１８は認証プロセッサ４２０を含む。認証プロセッサ４２０は認証プロセッサ５２０と協同して、デバイス４０２及び５０２を相互に対して認証する。デバイス４０２は、更に、距離機能決定器４００を含む。距離機能決定器４００は、距離決定器５０８と協力して距離関連動作を実行する。
【００４１】
幾つかの態様において、デバイス４０２は、デバイス５０２の対応するコンポーネントと類似した機能性を提供する１つ又は複数のコンポーネントを含む。例えば、距離決定器４０８は１つ又は複数の距離関連機能を決定する。これらの距離関連機能は、デバイス４０２の機能性を動作可能又は動作不能にするために使用される。デバイス４０２は、更に、表示生成器４１２（比較器４１４を含む）を含む。表示生成器４１２は、距離関連機能及び距離比較パラメータ４１６に基づいて距離関連表示を生成する。上記で検討したと同じ方法で、距離比較パラメータ４１６は、１つ以上の距離閾値４４４、１つ以上の変化率閾値４４６，１つ以上の加速度閾値４５０、又は１つ以上の規定されたシーケンス４４８を備える。デバイス４０２は、更に、タイマ４２６を含む。タイマ４２６は距離ベース動作に関連するタイミング情報を提供する。
【００４２】
デバイス４０２及び５０２又は他の類似のデバイスによって実行される動作の追加の例を、図２及び図３Ａのフローチャートを併用して検討する。先ず、図２の動作を取り扱う。
【００４３】
ブロック２０２によって表されるように、第１のデバイス、例えば、デバイス５０２は、第２のデバイス、例えば、デバイス４０２との通信を開始する。通信は、例えば、デバイス４０２がデバイス５０２に関連づけられた無線カバレージエリアへ入ったことをデバイス５０２が決定するとき、又はその逆のときに起動される。通信は自動的に開始されるか、あるいはデバイス４０２及び５０２が或る方法で対話することを欲するユーザの行動に基づいて開始される。前者の場合、発見モード(discovery mode)が継続的に動作可能にされ、デバイスが反復的に走査して、このデバイスが無線ネットワーク（例えば、ボディ・エリア・ネットワーク又はパーソナル・エリア・ネットワーク）のカバレージエリアに入ったかどうか、又は他の無線デバイスのカバレージエリアに入ったかどうかを決定する。後者の場合、ユーザがデバイスの入力デバイスを利用して（例えば、作動して）発見モードを起動し、デバイス（例えば、デバイスの受信機）が近くの無線ネットワーク又は無線デバイスの走査を開始する。ブロック２０２の動作と関連して、ユーザはデバイス４０２及び５０２を互いに或る範囲内に持ってくる。
【００４４】
図３Ａを参照すると、デバイス４０２も、ブロック２０２の動作と類似及び／又は相補的な動作を実行する。ブロック３０２によって表されるように、デバイス４０２は、例えば、近くの無線デバイスの発見を試みることによって、通信動作を起動する。上記で検討したように、これは自動的に開始されるか、ユーザによる或る行動（例えば、デバイス４０２の入力デバイスを利用すること）に応答して開始される。追加として、又は代替として、デバイス４０２は、デバイス５０２から受け取られた信号に応答して、発見手続きを開始してもよい。発見を開始するため、あるいは、デバイス間（例えば、デバイス４０２及び５０２の間）の通信の起動のための他の類似手続きを開始するために他の手法が採用されてもよいことを理解すべきである。
【００４５】
デバイス４０２及び５０２間の通信の確立と共に、デバイスは認証手続き(authentication procedure)又は他の類似の手続きを実行する。一般的に、認証は他のデバイスのアイデンティティを検証(verify)することに関連する。認証手続きを使用して、デバイスは他のデバイスとの通信を認可されることを検証し、及び／又は、動作の所与の集合が他のデバイスと共に実行されることを検証する。前者のシナリオの例として、認証手続きは、デバイス４０２と５０２を一対にして、デバイス４０２と５０２との間で或るタイプの通信（例えば、接続の確立）を動作可能にすることを伴う。こうして、認証手続きが使用され、アプリケーションレベルの通信がデバイス４０２と５０２との間で確立されてよいかどうかが決定される。後者のシナリオの例として、もし要求しているデバイスが適当な認可を有するならば、所与のデバイスは、要求しているデバイスが所与のデバイスによって提供又は制御される或るサービスにアクセスすることを許可する。そのようなサービスは、例えば、ネットワークへの接続、デバイス設定の修正、ディジタルライツの移転、ペイ・パー・ビュー・サービスへのアクセス、保護されたメディアを含む情報、例えば、データ、オーディオ、ビデオへのアクセス、又はこれらの或る組み合わせを含む。
【００４６】
認証は多様な方法で実行され得る。幾つかのインプリメンテーションにおいて、認証手続きは、セキュリティ証明書（例えば、パスワード）及び／又はユーザ生物測定情報を１つのデバイスから他のデバイスへ送ることを伴う。典型的なシナリオにおいて、各デバイスは他のデバイスを認証する。例えば、デバイス５０２はデバイス４０２を認証し、デバイス４０２はデバイス５０２を認証する。こうして、図３Ａのブロック３０２によって表されるように、デバイス４０２は、ブロック２０２の動作と類似及び／又は相補的である認証動作を実行する。このようにして、各デバイスはセキュリティ証明書又は他の適切な情報を他のデバイスへ送り、対応する情報を他のデバイスから受け取る。
【００４７】
認証手続きと共に、又は距離ベース動作と共に、多様な動作が実行され得る。例えば、幾つかのアプリケーションにおいては、認証手続き（例えば、ペアリング(pairing)プロセス）は人間同期化テスト(human synchronization test)を使用する。例えば、そのようなテストは人間同期化能力に基づき、それによって所与の人物は２つのスイッチを実質的に同時に容易に作動させるが、傍観者が正しい時間を予想して他の人物と実質的に同じ時間にスイッチを作動させることは非常に困難である。したがって、ブロック２０２の動作は、デバイス４０２及び５０２で入力デバイスを同時にアクティブ化する（例えば、スイッチを作動させる）ことをユーザに（例えば、ディスプレイ上の可視コマンドによって、又は照明素子、例えば、ＬＥＤの特殊な構成によって、又はオーディオ・コマンドによって）命令することを伴う。このように、認証手続きは、デバイス４０２上のスイッチが作動される実質的に同じ時間にデバイス５０２上のスイッチが作動される（例えば、押下及び／又は解除される）かどうかを決定することを伴う。図３Ａのブロック３０２によって表されるように、デバイス４０２は、ブロック２０２の動作と類似及び／又は相補的な動作を実行する。下記で一層詳細に検討されるように、（例えば、スイッチ以外の）多様なユーザ入力デバイスが、この動作のために使用される。
【００４８】
同期化テストは多様な方途でインプリメントされ得る。例えば、幾つかのインプリメンテーションにおいて、デバイス５０２は、デバイス４０２及び５０２上のそれぞれのスイッチが押下される時間、デバイス４０２及び５０２上のそれぞれのスイッチが解除される時間、又はこれら双方の時間を比較する。幾つかのインプリメンテーションにおいて、同期化テストはスイッチの複数の作動を伴う。例えば、ユーザは幾つかの無作為タイミングを選んで、各デバイス上のボタンを同時に押下及び解除する。この場合、各デバイスは、自分のスイッチの作動に関連づけられた時間のシーケンスを生成する。次に、デバイス５０２はシーケンスのタイミングを比較し、同じ人物がデバイス４０２及び５０２上のスイッチを作動させたかどうかを決定するように試みる。上記のインプリメンテーションのいずれにおいても、もしデバイス４０２及び５０２からの作動タイミングが十分に類似していれば、デバイス４０２及び５０２は相互に認証される。
【００４９】
幾つかのインプリメンテーションにおいて、作動時間の比較は、１つのデバイス（例えば、デバイス５０２）のユーザ入力デバイスの１つの作動時間（又は、複数の作動時間）を表す第１の表示を、他のデバイス（例えば、デバイス４０２）のユーザ入力デバイスの１つの作動時間（又は、複数の作動時間）を表す第２の表示と比較することを伴う。例えば、認証プロセッサ５２０は、デバイス５０２のユーザ入力デバイスを経由して第１の表示を獲得し、デバイス４０２から第２の表示を受け取る。次に、認証プロセッサ５２０は２つの表示を比較して、デバイス５０２のユーザ入力デバイスの作動が、デバイス４０２のユーザ入力デバイスの作動と実質的に同時に起こったかどうかを決定する。
【００５０】
再び図２を参照すると、ブロック２０４によって表されるように、デバイス５０２はデバイス４０２から要求を受け取って、少なくとも１つの機能（例えば、１つ又は複数の機能）の第１の集合を実行する。ここで、デバイス４０２の要求発生器４２８は、コントローラ４１８の制御のもとで要求を生成する。上述したように、要求発生器４２８はトランシーバ４１０と協力して要求をデバイス５０２へ送信する。同様に、デバイス５０２のトランシーバ５１０は要求を受け取って、これをコントローラ５１８へ供給する。
【００５１】
ブロック２０６によって表されるように、要求に応答して、コントローラ５１８は、次にデバイス５０２が機能の実行を許可されるかどうかを制御する。本明細書の教示に従って、この制御は、デバイス４０２と５０２との間の少なくとも１つの決定された距離に関連する表示に基づく。ブロック２０８〜２１８は、デバイス５０２が、そのような距離ベース・テストに基づいて、要求された機能の実行を許されるかどうかを制御することと関連して実行される幾つかのサンプル動作を説明する。
【００５２】
ブロック２０８によって表されるように、デバイス５０２（例えば、距離決定器５０８）は、デバイス４０２と５０２との間の少なくとも１つの距離を決定する。この目的のため、デバイス５０２は１つ又は複数の信号をデバイス４０２から受信及び処理する。更に、デバイス５０２は様々な信号を生成して、これらの信号をデバイス４０２へ送信する。ブロック２１０及び２１２によって表されるように、デバイス５０２（例えば、表示生成器５１２）は、１つ又は複数の決定された距離に対応する１つ又は複数の表示を生成する。幾つかの態様において、ブロック２０６〜２１２の動作は、ブロック２０２の動作の起動と連動して起動される。こうして、これらの動作は自動的に開始されるか、デバイス５０２のユーザ側の或る行動に応答して開始される。
【００５３】
様々な手法の１つ又は複数が採用されて、デバイス４０２と５０２との間の距離を決定する。例えば、幾つかのインプリメンテーションにおいて、距離は、到着時刻測定、往復時間測定、信号強度測定、ドップラー偏移測定、又は他の適切な手法を使用して測定される。距離を測定する手法の幾つかの例は、ブロック６０２から開始する図６を併用して検討される。
【００５４】
ブロック６０４によって表されるように、幾つかのインプリメンテーションにおいて、デバイス、例えば、距離測定動作を起動するデバイス５０２は１つ又は複数の信号を応答デバイス、例えば、デバイス４０２へ送る。例えば、起動デバイスはメッセージを応答デバイスへ送る。このメッセージは１つ又は複数の信号を起動デバイスへ戻すことを他のデバイスに命令する。こうして、図５の例において、距離決定器５０８は送信機５１０と協力して適当な信号をデバイス４０２へ送信する。
【００５５】
ブロック６０６で表されるように、応答デバイスは受け取られた信号を処理し、応答信号を生成する（例えば、メッセージを形成する）。図４において、距離決定器４０８はトランシーバ４１０の受信機と協同して、デバイス５０２から信号を受け取る。
【００５６】
ブロック６０８で表されるように、応答信号は応答デバイスから起動デバイスへ送信される。図４において、距離決定器４０８、及び任意的に表示生成器４１２はこうしてトランシーバ４１０の送信機と協同してこれらの信号をデバイス５０２へ送信する。
【００５７】
ブロック６１０で表されるように、起動デバイスは受け取られた応答信号を処理し、必要に応じて起動デバイスと応答デバイスとの間の距離を決定する。図５において、距離決定器５０８はトランシーバ５１０の受信機と再び協同して、信号をデバイス４０２から受け取る。
【００５８】
ブロック６１２は、取られるべき他の距離測定が、もし存在するならば、上記の動作が反復されることを表す。ここで、複数の距離決定が、同時に、又は逐次のやり方で、又は他のやり方で行われてよいことを理解すべきである。
【００５９】
到着時刻測定、往復時間測定、及び信号強度測定に関連する具体例と共に、ここでブロック６０４〜６１０のサンプル動作を一層詳細に検討する。これらの測定は、採用されてよい測定手法の少数にすぎないこと、及び本明細書の教示は他の測定手法と共に使用されてよいことを理解すべきである。
【００６０】
到着時刻を利用して距離を決定する幾つかのインプリメンテーションにおいて、起動デバイスは、応答デバイスから受け取られた信号の到着時刻を測定する。例えば、ブロック６０４において、起動デバイス（例えば、距離決定器５０８）は、到着時刻測定に使用されるべき幾つかの信号を応答デバイスが送信することを要求する。ブロック６０６及び６０８において、応答デバイスは適当な信号を生成し、これらの信号を起動デバイスへ送信する。例えば、距離決定器４０８は、トランシーバ４１０に適当な信号をトランシーバ５１０へ送信させる。次に、ブロック６１０において、起動デバイス（例えば、距離決定器５０８）は到着時刻測定を実行し、これらの測定に基づいて、起動デバイスと応答デバイスとの間の距離を決定する。
【００６１】
往復時間測定を利用する幾つかのインプリメンテーションにおいて、起動デバイス（デバイス５０２）は、所与の時間にメッセージを応答デバイスへ送信する（ブロック６０４）。ブロック６０６において、距離決定器４０８は、デバイス４０２による要求信号の受信とデバイス４０２による応答信号の送信との間の時間量（即ち、ターンアラウンドタイム）を決定する。代替として、距離決定器４０８は、トランシーバ４１０と協同して、応答信号が規定のターンアラウンドタイム内に送信されることを保証する。デバイス４０２は、こうして応答メッセージ（例えば、幾つかの場合には、表示生成器４１２によって生成されたターンアラウンドタイムの表示を含む）を生成し、メッセージをデバイス５０２へ送信する（ブロック６０８）。ブロック６１０において、デバイス５０２は受け取られた応答信号を処理し、往復時間を計算し、同様に、デバイス４０２と５０２との間の距離を計算する。この目的のため、距離決定器５０８は、応答メッセージがデバイス５０２で受け取られた時点を（例えば、トランシーバ５１０と協同して）決定する。距離決定器５０８は、ブロック６０４における信号の送信とブロック６１０における応答信号の受信との間で経過した時間から往復時間を決定するが、応答メッセージを供給されたデバイス４０２のターンアラウンドタイムは除かれる。
【００６２】
受け取られた信号強度を利用して距離を決定する幾つかのインプリメンテーションにおいて、起動デバイスは応答デバイスから受け取られた信号の信号強度を測定する。例えば、ブロック６０４において、起動デバイス（デバイス５０２）はメッセージを応答デバイスへ送信する。このメッセージは、応答デバイスが既知の信号強度（例えば、一定のエネルギー・レベル）で信号を送信することを要求する。ブロック６０６において、受け取られた信号に応答して、応答デバイス（例えば、距離決定器４０８）は、トランシーバ４１０に適当な信号をデバイス５０２へ送信させる（ブロック６０８）。ブロック６１０において、距離決定器５０８は、トランシーバ５１０によって受け取られた対応信号の強度に基づいてデバイス４０２と５０２との間の距離を計算する。
【００６３】
図２のブロック２１０を再び参照すると、デバイス５０２（例えば、表示生成器５１２）は、ブロック２０８で生成された少なくとも１つの決定された距離に関連する表示を生成する。上記で検討されたように、距離決定及び表示生成動作は、１つ又は複数の距離関連パラメータを決定することを伴う。１つ又は複数の距離関連パラメータは、例えば、デバイス４０２と５０２との間の１つの距離、デバイス４０２と５０２との間の２つ以上の距離、デバイス４０２と５０２との間の相対距離における変化率、及びデバイス４０２と５０２との間の相対加速度を含む。ここで、デバイス４０２と５０２との間の距離における変化率（例えば、相対速度）は、例えば、１つの時点におけるデバイス間の距離を決定し、１つ又は複数の他の時点におけるデバイス間の距離を決定し、関連づけられた期間での距離変化を計算することによって決定される。公知の手法、例えば、変化率情報の導関数を取ることによってデバイス４０２と５０２との間の相対加速度を決定するため、類似の情報が利用される。少なくとも１つの距離に関連する表示は、本明細書で明白に言及された表示以外の形態を取ってよいことを理解すべきである。
【００６４】
幾つかの態様において、表示は、デバイス４０２と５０２との間の単一の決定された距離を単純に指定する。下記で一層詳細に検討されるように、この形態の表示は１つ又は複数の閾値距離と比較され、或る機能を実行するために許容可能と思われる距離だけデバイス４０２及び５０２が分離されているかどうかを決定する。
【００６５】
表示は、更に、デバイス４０２と５０２との間の幾つかの決定された距離を指定する。例えば、デバイス４０２と５０２との間の距離は、様々な時間にチェックされる。そのような動作は、異なるタイプの距離決定シナリオと併用して実行され得る。
【００６６】
例えば、幾つかの態様において、デバイス間の距離は１回を超えてチェックされ、一層正確な距離示度数を提供する。ここで、明らかに誤った示度数は廃棄される。加えて、幾つかの場合には、平均の決定された距離が計算され、又は平均決定距離及び標準偏差が計算される。したがって、このシナリオにおいて、表示は、幾つかの類似の決定された距離、決定された距離に加えてこの決定された距離の標準偏差、決定された距離の範囲、又は他の類似の情報を備える。
【００６７】
幾つかの態様では、相互に規定のシーケンスで移動されているデバイス４０２及び５０２で動作の実行が断定されるシナリオにおいて、複数の距離示度数が採用される。例えば、デバイス４０２及び５０２は最初に第１の距離だけ離されて置かれ、次に第２の距離だけ離されて置かれ、以下同様に置かれる。したがって、このシナリオにおいて、表示は幾つかの決定された距離のシーケンスを備える。
【００６８】
幾つかの態様においては、デバイス４０２と５０２との間の相対距離における変化率を決定するため、複数の距離示度数が採用される。例えば、デバイス間の第１の距離が第１の時点で決定され、デバイス間の第２の距離が第２の時点で決定される。距離における変化率は、例えば、経過時間（例えば、第２の時点から第１の時点を差し引いた時間）に対する距離変化（例えば、第１の距離から第２の距離を差し引いた距離）の比を計算することによって決定される。こうして、このシナリオでは、表示は相対距離における決定された変化率（例えば、相対速度の表示）を備える。
【００６９】
幾つかの態様においては、相対距離における変化率の複数の示度数が採用される。例えば、規定のシーケンスで変更されているデバイス４０２と５０２との間の距離における変化率で、動作の実行が断定される。ここで、デバイス４０２及び５０２は、異なる期間では異なる速度で相互に関して移動される。このシナリオでは、表示は相対距離における複数の異なる変化率を備える。
【００７０】
同様に、デバイス４０２と５０２との間の相対加速度を決定するため、相対距離における変化率の複数の示度数が利用される。例えば、加速度情報は、或る期間に収集された相対速度情報の導関数を取ることによって取得される。こうして、このシナリオでは、表示は所与の時点での決定された相対加速度を備える。
【００７１】
上記で検討されたのと類似の方法で複数の加速度示度数が採用され、規定のシーケンスで変更されているデバイス４０２と５０２との間の相対加速度で、動作の実行が断定される。こうして、このシナリオでは、表示は複数の異なる相対加速度を備える。
【００７２】
幾つかの態様においては、デバイスは幾つかの型の距離関連パラメータを同時に決定する。例えば、デバイス５０２はデバイス４０２と５０２との間の絶対距離を決定し、デバイス４０２と５０２との間の相対距離における変化率を決定する。ここで、幾つかの態様において、異なる距離測定手法が採用され、これらの異なる型の距離関連パラメータを測定してよいことを理解すべきである。例えば、所与の測定手法は、他の測定手法よりも、或るタイプの距離測定をより効果的に決定するかも知れない。
【００７３】
ブロック２１２によって表されるように、ブロック２１０で生成された表示は、１つ又は複数の距離比較パラメータ５１６と比較される（図５）。ここで、比較動作の性質は、表示の特定の形態に依存する。
【００７４】
例えば、もし単一の距離に関連する表示がブロック２１０で生成されたならば、この形態の表示は１つ又は複数の距離閾値５４４と比較され、或る機能の実行に受け入れ可能と思われる距離範囲内にある距離だけデバイス４０２及び５０２が分離されているかどうかを決定する。サンプル使用の場合、或る距離（例えば、１メートル、３メートルなど）より少なく又は多く離れているデバイスで、機能の起動が断定される。代替として、２つの距離閾値５４４によって規定された範囲内に入る距離だけ分離されているデバイスで、機能の起動が断定されてもよい。
【００７５】
上記で検討されたように、幾つかの態様において、１つを超えるレベルの機能性（例えば、第１及び第２の機能５２８及び５３０）が定義され、デバイス４０２と５０２との間の異なる距離（例えば、少なくとも１つの第１の距離及び少なくとも１つの第２の距離）に基づいて、異なるレベルの機能性が採用される。ここで、決定された距離が１つの範囲内に入る（例えば、デバイス４０２及び５０２が相互に対して比較的に近い）場合、１つのタイプの機能性が採用され、決定された距離が他の範囲内に入る（例えば、デバイス４０２及び５０２が相互から遠く離れている）場合、他のタイプの機能性が採用される。この場合、決定された距離は１つ、２つ、又はもっと多い距離閾値５４４と比較される。しかも、この場合の表示は幾つかの下位表示を備える。下位表示の各々は、少なくとも１つの対応する距離関連パラメータ及び機能に関連づけられる。
【００７６】
上記したように、もし幾つかの距離に関連する幾つかの表示がブロック２１０で生成されたならば、これらの表示は１つ又は複数の距離閾値５４４と比較される。幾つかのインプリメンテーションにおいて、距離閾値５４４は距離のシーケンスに関連する。この場合、デバイス間の距離は、規定されたシーケンス５４８内の様々な距離の間で変更されるべきである。実際には、公差が、シーケンス５４８の各距離閾値に関連づけられ、決定された距離と規定されたシーケンス５４８との間の比較的小さい偏差の原因となる。したがって、表示は、決定された距離の集合が、規定されたシーケンスと実質的に等しいことを表示する。
【００７７】
もし相対距離における変化率に関連する表示がブロック２１０で生成されたのであれば、この表示は、１つ又は複数の規定された変化率閾値５４６と比較される。規定された変化率閾値５４６は、例えば、変化率の上限閾値、変化率の下限閾値、変化率の範囲、又は変化率の規定されたシーケンスを備える。後者のシナリオの例として、測距基準は、デバイス間の変化率が、規定されたシーケンス５４８内の様々な変化率の間で変更されるべきことを指定する。再び、公差が、規定されたシーケンス５４８内の各々の規定された変化率に関連づけられて、決定された変化率と規定されたシーケンス５４８との間の比較的小さい偏差を説明する。
【００７８】
もし相対加速度に関連する表示がブロック２１０で生成されたのであれば、この表示は１つ又は複数の規定された加速度閾値５５０と比較される。規定された加速度閾値５５０は、例えば、加速度の上限閾値、加速度の下限閾値、加速度の範囲、又は加速度のシーケンスを備える。後者のシナリオの例として、測距基準は、デバイス間の相対加速度が、規定された加速度シーケンス５４８に従って加速度間で変更されるべきこと（例えば、公知のパターンで）を指定する。上記のシナリオと同じように、公差の範囲が、規定された加速度シーケンス５４８の加速度に関連づけられて、決定された加速度と規定された加速度シーケンス５４８との間の比較的小さい偏差を説明する。
【００７９】
ブロック２１２の比較は、様々な方法でインプリメントされてよいことを理解すべきである。例えば、決定された距離は、距離比較パラメータから単純に引かれる。加えて、或るインプリメンテーションでは、複数の比較が行われる。例えば、距離が或る期間の間反復してチェックされるとき、推移条件を低減するため幾つかの測定が行われ、相対距離における変化率又は相対加速度に関連する動作を実行するとき、又は２つ以上の型の決定された距離の組み合わせが採用されるとき、そのようなアプローチが使用される。後者のシナリオの例として、下記で一層詳細に検討されるように、デバイス間の相対距離における変化率及びデバイス間の絶対距離に基づいて動作が起動され、あるいは修正される。
【００８０】
ブロック２１２の動作と関連して、表示生成器５１２は比較結果の表示を生成する。この表示は比較又は他の類似の動作の結果を表示する。例えば、そのような表示は、距離ベース動作を実行するための所望の基準をデバイスが満たしたか満たさなかったことを表示する。
【００８１】
ブロック２１４で表されるように、次にデバイス５０２は、比較結果に基づいて適当な行動を取る。例えば、下記で検討されるように、もし複数の距離基準（又は１つの距離基準）が満たされたことを比較結果の表示が表示するならば、デバイス５０２は所与の機能を呼び出すか終了し、又は或る方法で機能の動作を変更する（即ち、下記で検討されるブロック２２０へ動作が進む）。
【００８２】
もしブロック２１４の比較が成功しなければ、図２の動作は終了し、或る他の時点で呼び出される。幾つかのインプリメンテーションにおいて、比較が成功しない場合、任意の前に動作可能にされた機能は動作不能にされる。代替として、デバイス５０２が距離を監視して、前に動作可能にされた機能を終了するかどうかを決定するインプリメンテーションにおいて、ブロック２１４での比較は動作可能を継続する機能に帰着する。
【００８３】
ブロック２１６で表されるように、幾つかの態様において、距離ベース機能及び／又は表示と関係して、他の基準が任意的に採用される。例えば、ブロック２１４の比較結果の表示と結合して１つ又は複数の他の基準が使用され、他のデバイスによって要求された１つ又は複数の機能の実行をデバイスが許可されるかどうかを制御する（ブロック２１８）。もし各々の指定された基準が満たされなければ、デバイス５０２はメッセージをデバイス４０２へ送る。このメッセージは、距離測定関連動作の結果に基づいて機能が動作不能にされるか許可されないことを表示する（ブロック２２８）。
【００８４】
幾つかの態様においては、基準は距離ベース基準が満たされた時間量に関連する。例えば、デバイス５０２はデバイス４０２と５０２との間の距離を反復してチェックし、要求された機能を実行する前に、所与の距離ベース基準が指定期間の間満たされたことを保証する。代替として、デバイス５０２はデバイス４０２と５０２との間の距離を反復してチェックし、所与の距離ベース基準が指定期間の間満たされなかったかどうかを決定してもよい。この手続きは、例えば、前に許された機能をいつ終了するかを決定するため、デバイス５０２によって使用される。
【００８５】
ブロック２２０によって表されるように、一度全ての基準が満たされると、デバイス５０２は、１つ又は複数の機能の実行を動作可能にするか、１つ又は複数の機能の実行を動作不能にするか、又は他の類似の手続きを実行する。前者のシナリオの例として、デバイス５０２は、デバイス５０２によって提供又は制御される或るサービスにデバイス４０２がアクセスすることを許可する。
【００８６】
後者のシナリオの例として、幾つかのインプリメンテーションにおいて、アクセスが自動的に許可される（例えば、デバイスが通信を開始するとき）。この場合、デバイス５０２はデバイス４０２と５０２との間の距離を監視して、アクセスをいつ終了するかを決定する。例えば、距離ベース基準は、１つ又は複数の機能を終了させるデバイス４０２と５０２との間の１つ又は複数の距離又は相対移動を指定する。より特殊な例として、デバイス５０２はデバイス４０２と５０２との間の距離を監視して、距離が閾値パラメータを超過するかどうかを決定する。距離がこのパラメータを超過する場合、対応する機能の実行をデバイス５０２が動作不能にする。
【００８７】
ブロック２２２によって表されるように、デバイス５０２（例えば、機能プロセッサ５２６）は、要求された機能を実行する。加えて、デバイス５０２はメッセージをデバイス４０２へ送信する。このメッセージは、要求が受け入れられたことを表示する。例えば、デバイス５０２は、機能が動作可能にされたこと及び／又は機能が完了したことの表示を送る。上記で検討されたように、幾つかの態様において、異なる機能が、異なる距離関連基準に関連づけられる。こうして、第１の距離関連基準が満たされるかどうかに依存して、第１の機能５２８が実行又は終了される。更に、第２の距離関連機能が満たされるかどうかに依存して、第２の機能５３０が実行又は終了される。
【００８８】
ブロック２２４によって表されるように、幾つかの態様において、デバイス５０２は、デバイス４０２と５０２との間の距離を反復して決定する。例えば、進行中の事象（例えば、トランザクション）、例えば、メディア・ストリーム又は通信接続に関連する機能では、デバイス５０２は、関連づけられた距離ベース基準が事象の持続時間の間満たされることを反復して保証する。
【００８９】
ブロック２２６によって表されるように、図２の手続きは、上記で検討された動作の１つ又は複数の特定の結果に依存して、或る時点で終了又は動作不能にされる。
【００９０】
図２の例中のブロックによって表された動作は、必ずしも図解された順序で実行されないことを理解すべきである。例えば、幾つかのインプリメンテーションにおいて、デバイス５０２は、デバイス４０２から要求を受け取る前に、デバイス４０２と５０２との間の距離を決定してよい。ここでデバイス５０２は、正規ベースで距離決定動作を実行する。結果として、デバイス５０２は、要求を受け取るとき、デバイス４０２と５０２との間の距離に関連する正確な表示を既に有する。
【００９１】
更に、幾つかの態様においては、距離関連動作は、認証手続きの前提条件、認証手続きの一部分、認証手続きの後、又はこれらの或る組み合わせとして実行される。幾つかの態様において、もしデバイスが相互から所与の距離内にあり、及び／又は相互に関して或る方法で移動されるならば、認証が自動的に呼び出される。同様に、同期化テストは、認証手続きへの前提条件、認証手続きの一部分、認証手続きの後、又はこれらの或る組み合わせとして実行される。更に、同期化テストは、距離ベース手続きへの前提条件、距離ベース手続きの一部分、距離ベース手続きの後、又はこれらの或る組み合わせとして実行される。
【００９２】
したがって、認証関連動作を開始又は完了する前提条件として距離ベース基準が使用されるとき、ブロック２２２の動作は認証関連動作の実行に関連する。こうして、これらの機能の実行は、デバイス４０２と５０２との間の距離が閾値よりも小さいかどうか、及び／又はデバイス４０２及び５０２が相互に関して正常なやり方で移動されるかどうかに基づく。
【００９３】
デバイス４０２は、これらの動作に類似及び／又は相補的な動作を実行する。こうして、もし認証手続きが許されるならば（例えば、ブロック２２０での成功した比較を表示するデバイス５０２からのメッセージの受け取りによって表示されるように）、デバイス４０２はデバイス５０２と協力して認証動作を実行する。
【００９４】
上記のことを考慮して、１つ又は複数の機能及び認証関連動作は、２つ以上のデバイスの適切な距離関連特性によって呼び出され、終了され、又は影響されてよいことを理解すべきである。例えば、機能又は認証の動作は、デバイス間の絶対距離、デバイス間の距離の規定されたシーケンス（ここで、規定されたシーケンスは絶対距離又は相対距離に基づいてよい）、デバイス間の相対距離における変化率、デバイス間の相対加速度、又はこれらの或る組み合わせに依存する。こうして、デバイス間の測定されたパラメータ（例えば、距離、変化率、又は加速度）が、規定された閾値（例えば、対応する規定されたパラメータ）よりも小さい、大きい、又は実質的に同じ（例えば、等しい）か、そのような閾値の範囲より下、上、又は範囲内にあるかどうかに依存して、機能又は認証が動作可能又は動作不能にされる（例えば、呼び出され、終了され、影響される）。
【００９５】
幾つかの態様において、１つ又は複数の機能の実行をデバイス５０２に要求することをデバイス４０２が許可されるかどうかを制御するため、距離ベース機能が使用される。図３Ａは、デバイス４０２が距離ベース動作を実行して、要求を送ることをデバイス４０２が許可されるかどうかを制御するインプリメンテーションに関連する。図７は、デバイス５０２が距離ベース動作を実行して、要求を送ることをデバイス４０２が許されるかどうかを制御するインプリメンテーションに関連する。
【００９６】
図３Ａのブロック３０２によって表されるように、デバイス４０２はデバイス５０２との通信を開始する。ブロック３０２における動作は、ブロック２０２に関して上記で説明された動作と同じである。
【００９７】
ブロック３０４によって表されるように、コントローラ４１８は、或る時点で、１つ又は複数の機能の実行をデバイス５０２に要求することをデバイス４０２が許可されるかどうかを制御する。本明細書の教示に従って、この制御は、デバイス４０２と５０２との間の少なくとも１つの決定された距離に関連する表示に基づく。ブロック３０６〜３１６及び３２６は、そのような距離ベース・テストに基づいてデバイス５０２へ要求を送ることをデバイス４０２が許可されるかどうかを制御することと連動して実行される幾つかのサンプル動作を説明する。これらの動作は、ブロック２０８〜２１８及び２２８に関して上記で説明された動作と同じであってよい。
【００９８】
ブロック３１８によって表されるように、一度ブロック３１０〜３１６の基準の全てが満たされると、コントローラ４１８（例えば、要求動作可能器（request enabler）４２２）は、要求を動作可能にするか、他の類似の手続きを実行する。１つの例として、要求動作可能器４２２は、上記で検討したように距離ベース基準に基づいて要求の生成及び送信に関連するデバイス４０２の或る機能性を動作可能にする。例えば、幾つかのインプリメンテーションにおいて、デバイス４０２のユーザ表示デバイスに要求関連表示が表示される。要求が動作可能にされないとき、要求関連表示は表示デバイス上で「グレー表示」にされ、対応動作が呼び出されないことを表示する。対照的に、要求が動作可能にされるとき、要求関連表示は正常に表示され、対応動作か呼び出されることを表示する。要求を動作可能又は動作不能にするため、他の手法がデバイス４０２によって採用されることを理解すべきである。
【００９９】
幾つかのインプリメンテーションにおいては、要求は自動的に許可される（例えば、デバイスが通信を開始するとき）。この場合、デバイス４０２はデバイス４０２と５０２との間の距離を監視し、要求をいつ動作不能にするかを決定する。例えば、上記で検討されたような距離ベース基準が、要求の動作不能にするデバイス４０２と５０２との間の１つ又は複数の距離又は相対移動を指定する。より具体的な例として、デバイス４０２はデバイス４０２と５０２との間の距離を監視し、距離が閾値パラメータと等しいか超過するかを決定する。決定された距離がこのパラメータよりも大きいか等しい場合、要求動作不能器（request disabler）４２４は要求を動作不能にする。
【０１００】
ブロック３２０によって表されるように、デバイス４０２（例えば、要求発生器４２８）は要求を生成し、トランシーバ４１０と協力して要求をデバイス５０２へ送信する。ブロック３２２によって表されるように、幾つかの態様において、デバイス４０２はデバイス４０２と５０２との間の距離を反復して決定し、所与の事象（例えば、トランザクションなど）について要求が動作可能又は動作不能にされるべきであるかを決定する。ブロック３２４によって表されるように、図３Ａの手続きは、或る時点で、上記で検討された１つ又は複数の動作の特定の結果に依存して終了又は動作不能にされる。
【０１０１】
ここで図３Ｂを参照すると、１つ又は複数の機能の実行を要求することと関連して実行されてよい他の動作のサンプル態様が取り扱われる。これらの動作は、例えば、デバイス４０２及び５０２が相互との通信を開始した（例えば、上記のブロック２０２及び３０２）後で開始してよい。ブロック３３０によって表されるように、デバイス４０２はメッセージをデバイス５０２へ送信する。このメッセージは、少なくとも１つの機能の第１の集合をデバイス５０２が実行することを要求する。
【０１０２】
ブロック３３２によって表されるように、要求に応答して、デバイス４０２はメッセージをデバイス５０２から受け取る。このメッセージは、或る距離測定関連動作をデバイス４０２が実行することを要求する。ここで、デバイス４０２は往復時間距離測定動作について応答信号を生成し、又はデバイス４０２は本明細書で検討されたような他の距離測定動作を実行する。ブロック３３４によって表されるように、次にデバイス４０３は対応表示を生成する。そのような表示は、例えば、デバイス４０２によって実行された往復時間測定動作に関連づけられたタイミングに関連するか、又は他の距離測定動作によって生成された距離関連パラメータに関連する。次にデバイス４０２は、表示をデバイス５２へ送信する（ブロック３３６）。
【０１０３】
ブロック３３８によって表されるように、送信された表示に応答して、デバイス４０２はメッセージをデバイス５０２から受け取る。このメッセージは、要求が受け入れられたかどうかを表示する。例えば、デバイス４０２は、機能が動作可能にされること及び／又は機能が完了したことの表示を受け取る。代替として、デバイス４０２は、距離測定関連動作の結果に基づいて機能が許されなかったことの表示を受け取ってもよい。
【０１０４】
ここで図７を参照すると、幾つかの応用において、第１のデバイス（例えば、デバイス５０２）は、第２のデバイス（例えば、デバイス４０２）が、１つ又は複数の機能の実行を第１のデバイスに要求するかどうかを制御する。ブロック７０２によって表されるように、デバイス４０２及び５０２は、本明細書で教示されるような距離ベース機能性に先行するか、後続するか、又は組み込んでよい認証又は他の類似の手続き（上記で検討されたような）を使用して通信を開始する。
【０１０５】
ブロック７０４〜７０８は、要求をデバイス５０２へ送ることをデバイス４０２に認可するメッセージをデバイス４０２へ送信するため、デバイス５０２によって実行される動作に関連する。ブロック７０４において、デバイス５０２は、本明細書で教示される１つ又は複数の手続きを使用して、デバイス間の距離が受け入れ可能かどうかを決定する。もし距離がブロック７０６で受け入れ可能であれば、デバイス５０２はメッセージを第２のデバイスへ送信する。このメッセージは、第２のデバイスが要求の生成を認可されることを表示する（ブロック７０８）。もし受け入れ可能でなければ、デバイス５０２はメッセージをデバイス４０２へ送る。このメッセージは、距離測定関連動作の結果に基づいて、機能が動作不能にされるか許可されないことを表示する（ブロック７２０）。
【０１０６】
ブロック７１０〜７１４は、要求をデバイス５０２へ送信するため、デバイス４０２によって実行される動作に関連する。要求を生成する認可をブロック７１０で受け取った後、デバイス４０２はブロック７１２で要求を動作可能にする。これは、例えば、上記で検討されたようにユーザ入力デバイスの或る機能性を動作可能にすることを伴う。ブロック７１４において、デバイス４０２は要求をデバイス５０２へ送信する。
【０１０７】
ブロック７１６及び７１８は、要求された機能を実行するため、デバイス５０２によって実行されてよい動作に関連する。こうして、上記で検討されたように、ブロック７１６で要求を受け取った後、デバイス５０２は要求された機能を実行する。
【０１０８】
本明細書で説明されるコンポーネントは、多様な形態を取ってよいことを理解すべきである。例えば、図８は、無線デバイス８００（例えば、デバイス４０２及び／又はデバイス５０２と類似する）が、大まかに、ユーザ入力デバイス８０２、通信デバイス８０４、距離、移動、及び加速度測定回路８０６、位置／移動検出器８０８、及びユーザ出力デバイス８１４に関連する機能性を含む。
【０１０９】
ユーザ入力デバイス８０２は、或る形態の入力を無線デバイス８００へ提供するようにユーザを動作可能にする多様なコンポーネントの１つ又は複数を備える。例えば、ユーザ入力デバイス８０２は、１つ又は複数のスイッチ、例えば、プッシュボタン又はキーパッドを備える。ユーザ入力デバイス８０２は、更に、タッチスクリーン、タッチパッド、又は他の類似の入力機構を備えてもよい。ユーザ入力デバイス８０２は、ポインティング・デバイス、例えば、マウス、トラックボール、電子ペン、ポインティング・スティックなどを備えてもよい。ユーザ入力デバイス８０２は、更に、非機械形態の入力、例えば、オーディオ（例えば、音声）入力、光ベース入力、ＲＦベース入力、又は他の適切な形態の入力を受け取るように適応されてもよい。上記で検討されたように、或る機能、例えば、認証又は存在管理を容易にする機能を無線デバイス内で起動するため、ユーザ入力デバイス８０２がユーザによって利用される。後者の場合の例として、ユーザ入力デバイス８０２は、上記で検討され、デバイス４０２及び５０２の双方で実質的に同時にアクティブ化される入力デバイスを備える。
【０１１０】
通信デバイス８０４は、関連づけられた送信機及び受信機コンポーネント８１０及び８１２それぞれを有するトランシーバ（例えば、無線周波数）を備える。トランシーバは無線メディアを介する通信を容易にする様々なコンポーネント（例えば、信号生成器及び信号プロセッサ）を含む。この目的のため、通信デバイス８０４は様々な無線物理層スキームの１つ又は複数を採用する。例えば、物理層は、ＣＤＭＡ、ＴＤＭＡ、ＯＦＤＭ、ＯＦＤＭＡ、又は他の変調及び多重化スキームの或る形態を利用する。幾つかの態様において、通信デバイス８０４はパルス・ベース物理層を経由して通信する。ここで、物理層は超広帯域パルスを利用する。超広帯域パルスは、比較的短い長さ（例えば、数ナノ秒の桁）及び比較的広い帯域幅を有する。幾つかの態様において、超広帯域システムは、約２０％以上の桁で比帯域幅を有する、及び／又は、約５００ＭＨｚ以上の桁で帯域幅を有するシステムとして定義される。
【０１１１】
回路８０６は、更に、１つ又は複数の距離、移動、及び加速度を測定するように適応された多様なコンポーネントの１つ又は複数を備える。上記で検討されたように、距離を測定するために様々な手法が採用される。手法は、例えば、双方向測距、質問／応答信号、受信電力測定、加速度示度数、ディジタル又はアナログ・イメージング、電磁場における変化の検出、及び信号内ドップラー偏移の検出を含む。したがって、回路８０６は対応回路（例えば、無線周波数回路、光学系、加速度計、信号強度センサ、電磁場センサ、又はドップラー偏移センサ）を採用し、１つ又は複数のこれらの手法を使用して距離を測定する。具体的例において、光学デバイス、例えば、ビデオ・デバイスがビデオ処理を採用し、フレームの差及び類似に基づき相対距離における変化率を計算する。他の例において、相対距離における変化率は、電磁場の相対方位における変化率を識別することによって決定される。更に、幾つかの応用において、加速度計が使用され、距離、速度、又は加速度の測定を取得する。
【０１１２】
幾つかのインプリメンテーションにおいては、回路８０６のコンポーネントの１つ又は複数が、無線通信デバイス８０４の中でインプリメンテーションされる。例えば、ＲＦ信号の往復時間を計算することによって距離を決定するインプリメンテーションは、送信機及び受信機コンポーネントを利用して、往復時間を計算するために使用される測距信号（例えば、超広帯域パルス）又は他の信号を送信及び受信する。
【０１１３】
幾つかのインプリメンテーションでは、位置及び／又は移動検出器８０８が採用され、２つ以上のデバイスに関連づけられた１つ又は複数の距離関連パラメータを決定する。例えば、１つ又は複数のデバイスの中で加速度計を使用することによって、２つのデバイス間の相対距離における変化率は、より大きな正確度で、より容易に取得又は決定される。幾つかのインプリメンテーションにおいて、位置／移動検出器８０８の１つ又は複数のコンポーネントは、回路８０６の中でインプリメントされる。
【０１１４】
ユーザ出力デバイス８１４は、或る形態の出力をデバイス８００のユーザへ呈示する多様なコンポーネントの１つ又は複数を備える。例えば、ユーザ出力デバイス８１４は、可視出力、可聴出力、又は他の適切な形態の出力を提供する。結果として、ユーザ出力デバイス８１４は、対応するコンポーネントを備える。このコンポーネントは、例えば、表示デバイス、例えば、表示スクリーン又は１つ又は複数の点灯要素、例えば、ＬＥＤ、音響トランスデューサ（例えば、スピーカ）、又は他の適切な機構（例えば、トランスデューサ）を含む。
【０１１５】
デバイス（例えば、デバイス４０２、５０２、又は８００）は、様々な感知特性に関連づけられた機能を実行する様々なコンポーネントを含む。例えば、ヘッドセットは、受信機によって受け取られた信号に基づいて、又は、１つ又は複数の機能の実行をデバイスに要求することをヘッドセットが許可されるかどうかに基づいて、可聴出力を提供するように適応されたトランスデューサを含む。腕時計は、受信機によって受け取られた信号に基づいて可視出力を提供するように適応されたディスプレイを含み、又は送信機を経由して送信されるべき信号を提供するように適応された入力デバイスを含む。医療用デバイスは、デバイスへ送信されるべき（例えば、送信機を経由して）感知信号を生成するように適応されたセンサを含む。
【０１１６】
本明細書の教示は、多様な装置（例えば、デバイス）の中へ組み込まれ（例えば、内部でインプリメンテーションされ、又は実行され）る。例えば、本明細書で教示される１つ又は複数の態様は、電話（例えば、携帯電話）、パーソナル・データ・アシスタント（「ＰＤＡ」）、娯楽デバイス（例えば、音楽又はビデオ・デバイス）、ヘッドセット（例えば、ヘッドホン、イヤホンなど）、マイクロホン、医療用デバイス（例えば、生物計測センサ、心拍数モニタ、歩数計、ＥＫＧデバイスなど）、ユーザＩ／Ｏデバイス（例えば、腕時計、リモコン、電灯スイッチ、キーボード、マウスなど）、タイヤ空気圧モニタ、コンピュータ、店舗販売時点デバイス、娯楽デバイス、補聴器、セットトップボックス、又は他の適切なデバイスの中へ組み込まれる。
【０１１７】
これらのデバイスは、異なる電力及びデータ要件を有してもよい。幾つかの態様においては、本明細書の教示は、低電力応用で使用されるように適応され（例えば、パルス・ベース・シグナリング・スキーム及び低負荷サイクル・モードの使用によって）、比較的高いデータ転送速度を含む多様なデータ転送速度を（例えば、高帯域幅パルスの使用によって）サポートする。
【０１１８】
デバイス（例えば、デバイス４０２、５０２、又は８００）は、様々な無線通信リンク及び無線ネットワーク・トポロジをサポート又は使用する。例えば、幾つかの態様において、デバイス４０２及び５０２は、ボディ・エリア・ネットワーク又はパーソナル・エリア・ネットワーク（例えば、超広帯域ネットワーク）の一部分を備えるか形成する。加えて、幾つかの態様において、デバイス４０２及び５０２は、ローカルエリアネットワーク又は広域ネットワークの一部分を備えるか形成する。デバイス４０２及び５０２は、更に、例えば、ＣＤＭＡ、ＴＤＭＡ、ＯＦＤＭ、ＯＦＤＭＡ、ＷｉＭＡＸ、Ｗｉ−Ｆｉ、及び他の無線技術を含む多様な無線通信プロトコル又は標準の１つ又は複数をサポート又は使用する。したがって、デバイス４０２及び５０２は、様々な無線技術を使用して１つ又は複数の通信リンクを確立するための適当なコンポーネントを含む。
【０１１９】
幾つかの態様においては、デバイス（例えば、デバイス５０２）は、通信システムのアクセス・デバイス（例えば、Ｗｉ−Ｆｉアクセス・ポイント）を備える。例えば、デバイス５０２は、有線又は無線通信リンクを経由して、他のネットワーク（例えば、広域ネットワーク、例えば、インターネット）への接続性を提供する。したがって、デバイス５０２は、他のネットワークにアクセスするようにデバイス４０２（例えば、Ｗｉ−Ｆｉ局）を動作可能にする。しかも、デバイス４０２及び５０２の１つ又は双方は、持ち運び可能であり、又は、幾つかの場合、比較的に持ち運び不可能であってよいことを理解すべきである。
【０１２０】
本明細書の教示は、少なくとも１つの他のデバイスと通信するための様々なコンポーネントを採用するデバイスへ組み込まれる。図９は、デバイス間の通信を容易にするために採用されてよい幾つかのサンプルコンポーネントを描写する。ここで、第１のデバイス（例えば、アクセス端末）９０２及び第２のデバイス（例えば、アクセス・ポイント）９０４は、適切なメディア上で通信リンク９０６を経由して通信するように適応される。
【０１２１】
始めに、デバイス９０２からデバイス９０４へ情報を送ること（例えば、逆方向リンク）に伴うコンポーネントが論じられる。送信（「ＴＸ」）データ・プロセッサ９０８は、データ・バッファ９１０又は他の適切なコンポーネントからトラフィック・データ（例えば、データ・パケット）を受け取る。送信データ・プロセッサ９０８は、選択された符号化及び変調スキームに基づいて、各データ・パケットを処理（例えば、符号化、インタリーブ、及び記号マップ）し、データ記号を提供する。一般的に、データ記号はデータの変調記号であり、パイロット記号はパイロット（先験的に知られている）の変調記号である。変調器９１２は、データ記号、パイロット記号、及び可能性として逆方向リンクのシグナリングを受け取り、変調（例えば、ＯＦＤＭ又は他の適切な変調）及び／又はシステムによって指定されるような他の処理を実行し、出力チップのストリームを提供する。送信機（「ＴＭＴＲ」）９１４は、出力チップ・ストリームを処理（例えば、アナログへの変換、フィルタ、増幅、及び周波数アップコンバート）して変調信号を生成する。変調信号はアンテナ９１６から送信される。
【０１２２】
デバイス９０２によって送信された変調信号は、（デバイス９０４と通信している他のデバイスからの信号と共に）デバイス９０４のアンテナ９１８によって受け取られる。受信機（「ＲＣＶＲ」）９２０は、アンテナ９１８からの受信信号を処理し（例えば、条件付け、及びディジタル化し）、受信サンプルを提供する。復調器（「ＤＥＭＯＤ」）９２２は、受信標本を処理（例えば、復調及び検波）して、検波されたデータ記号を提供する。データ記号は、他のデバイスによってデバイス９０４へ送信されたデータ記号の雑音推定値であってよい。受信（「ＲＸ」）データ・プロセッサ９２４は、検波されたデータ記号を処理（例えば、記号逆マップ、逆インタリーブ、及び復号）して、各送信デバイス（例えば、デバイス９０２）に関連づけられた復号データを提供する。
【０１２３】
デバイス９０４からデバイス９０２へ情報を送ること（例えば、順方向リンク）に伴うコンポーネントが今から論じられる。デバイス９０４において、トラフィック・データは送信（「ＴＸ」）データ・プロセッサ９２６によって処理され、データ記号を生成する。変調器９２８は、データ記号、パイロット記号、及び順方向リンクのシグナリングを受け取り、変調（例えば、ＯＦＤＭ又は他の適切な変調）及び／又は他の妥当な処理を実行し、出力チップ・ストリームを提供する。出力チップ・ストリームは送信機（「ＴＭＴＲ」）９３０によって更に調整され、アンテナ９１８から送信される。幾つかのインプリメンテーションにおいて、順方向リンクのシグナリングは電力制御コマンド及び他の情報（例えば、通信路に関連する情報）を含む。これらは、逆方向リンク上をデバイス９０４へ送信している全てのデバイス（例えば、端末）のためにコントローラ９３２によって生成される。
【０１２４】
デバイス９０２において、デバイス９０４によって送信された変調信号は、アンテナ９１６によって受け取られ、受信機（「ＲＣＶＲ」）９３４によって調整及びディジタル化され、復調器（「ＤＥＭＯＤ」）９３６によって処理され、検波されたデータ記号を取得する。受信（「ＲＸ」）データ・プロセッサ９３８は、検波されたデータ記号を処理し、デバイス９０２及び順方向リンク・シグナリングのために復号データを提供する。コントローラ９４０は、電力制御コマンド及びデータ送信を制御する他の情報を受け取り、デバイス９０４への逆方向リンク上で送信電力を制御する。
【０１２５】
コントローラ９４０及び９３２は、それぞれデバイス９０２及びデバイス９０４の様々な動作を指図する。例えば、コントローラは、適当なフィルタ、フィルタに関する報告情報、及びフィルタを使用する復号情報を決定する。データ・メモリ９４２及び９４４は、それぞれコントローラ９４０及び９３２によって使用されるプログラム・コード及びデータを記憶する。
【０１２６】
図９は、更に、通信コンポーネントが、本明細書で教示されるような測距関連動作を実行する１つ又は複数のコンポーネントを含むことを図解する。例えば、測距制御コンポーネント９４６は、コントローラ９４０及び／又はデバイス９０２の他のコンポーネントと協同して、他のデバイス（例えば、デバイス９０４）への測距関連信号及び情報を送信及び受信する。同様に、測距制御コンポーネント９４８は、コントローラ９３２及び／又はデバイス９０４の他のコンポーネントと協力して、他のデバイス（例えば、デバイス９０２）への測距関連信号及び情報を送信及び受信する。
【０１２７】
本明細書で説明されたコンポーネントは、多様な方法でインプリメンテーションされてよい。図１０を参照すると、システム１０００は一連の相互関連機能ブロックとして表される。これらのブロックは、例えば、プロセッサ、ソフトウェア、これらの或る組み合わせ、又は本明細書で教示されるような他のやり方でインプリメンテーションされる機能を表す。
【０１２８】
図１０で示されるように、システム１０００は装置１００２（例えば、要求デバイス）及び装置１００４（例えば、機能デバイス）を備える。装置１００２は、１つ又は複数のモジュール１００６、１００８、１０１０、１０１２、１０１４、１０１６、１０１８、１０２０、１０２２、及び１０２４を含む。これらのモジュールは、様々な図面に関して上記で説明された１つ又は複数の機能を実行する。例えば、制御するためのプロセッサ１００６は、本明細書で教示されるように動作を制御することに関連する様々な機能性を提供し、例えば、上記で検討されたコンポーネント４１８に対応する。認証するためのプロセッサ１００８は、本明細書で教示されるように認証関連の様々な機能性を提供し、例えば、上記で検討されたコンポーネント４２０に対応する。送信するためのプロセッサ１０１０は、本明細書で教示されるように他のデバイスへ情報を送信することに関連する様々な機能性を提供し、例えば、上記で検討されたようなコンポーネント１１０に対応する。受信するためのプロセッサ１０１２は、本明細書で教示されるように他のデバイスから情報を受け取ることに関連する様々な機能性を提供し、例えば、上記で検討されたコンポーネント１２２に対応する。入力するためのプロセッサ１０１４は、ユーザ入力を容易にし、例えば、上記で検討されたコンポーネント８０２に対応する。表示するためのプロセッサ１０１６は、本明細書で教示されるように画像を表示することに関連する様々な機能性を提供し、例えば、上記で検討されたコンポーネント８１４に対応する。少なくとも１つの距離を決定するプロセッサ１０１８は、本明細書で教示されるように距離を決定することに関連する様々な機能性を提供し、例えば、上記で検討されたコンポーネント４０８に対応する。比較するためのプロセッサ１０２０は、本明細書で教示されるように距離ベース情報を他の情報と比較することに関連する様々な機能性を提供し、例えば、上記で検討されたコンポーネント４１４に対応する。表示を生成するためのプロセッサ１０２２は、本明細書で教示されるように１つ又は複数の表示を生成し、例えば、上記で検討されたコンポーネント４１２に対応する。時間量を決定するためのプロセッサ１０２４は、本明細書で教示されるように時間追跡に関連する様々な機能性を提供し、例えば、上記で検討されたコンポーネント４２６に対応する。
【０１２９】
装置１００４は、更に、１つ又は複数のモジュール１０２６、１０２８、１０３０、１０３２、１０３４、１０３６、１０３８、及び１０４０を含む。これらのモジュールは、様々な図面に関して上記で説明された１つ又は複数の機能を実行する。例えば、制御するためのプロセッサ１０２６は、本明細書で教示されるように動作を制御することに関連する様々な機能性を提供し、例えば、上記で検討されたコンポーネント５１８に対応する。認証するためのプロセッサ１０２８は、本明細書で教示されるように認証に関連する様々な機能性を提供し、例えば、上記で検討されたコンポーネント５２０に対応する。受信するためのプロセッサ１０３０は、本明細書で教示されるように他のデバイスから情報を受け取ることに関連する様々な機能性を提供し、例えば、上記で検討されたコンポーネント１１４に対応する。入力するためのプロセッサ１０３２は、ユーザ入力を容易にし、例えば、上記で検討されたコンポーネント８０２に対応する。少なくとも１つの距離を決定するためのプロセッサ１０３４は、本明細書で教示されるように距離を決定することに関連する様々な機能性を提供し、例えば、上記で検討されたコンポーネント５０８に対応する。比較するためのプロセッサ１０３６は、本明細書で教示されるように距離ベース情報を他の情報と比較することに関連する様々な機能性を提供し、例えば、上記で検討されたコンポーネント５１４に対応する。表示を生成するためのプロセッサ１０３８は、本明細書で教示されるように１つ又は複数の表示を生成し、例えば、上記で検討されたコンポーネント５１２に対応する。時間量を決定するためのプロセッサ１０４０は、本明細書で教示されるように時間追跡に関連する様々な機能性を提供し、例えば、上記で検討されたコンポーネント５３２に対応する。
【０１３０】
上記したように、図１０は、幾つかの態様において、これらのコンポーネントが、適当なプロセッサ・コンポーネントによってインプリメンテーションされることを図解する。これらのプロセッサ・コンポーネントは、幾つかの態様において、本明細書で教示されるような構造を使用して少なくとも部分的にインプリメンテーションされる。幾つかの態様において、プロセッサは、１つ又は複数のこれらコンポーネントの機能性の一部又は全部をインプリメントするように適応される。幾つかの態様において、破線ボックスによって表された１つ又は複数のコンポーネントは選択が自由である。
【０１３１】
幾つかの態様において、装置１０００は集積回路を備える。集積回路は１つ又は複数のプロセッサを備え、これらのプロセッサは、図１０で図解されたプロセッサ・コンポーネントの機能性を提供する。例えば、幾つかの態様において、単一のプロセッサが、図解されたプロセッサ・コンポーネントの機能性をインプリメントし、他の態様において、１つを超えるプロセッサが、図解されたプロセッサ・コンポーネントの機能性をインプリメントする。加えて、幾つかの態様において、集積回路は他のタイプのコンポーネントを備える。他のタイプのコンポーネントは、図解されたプロセッサ・コンポーネントの機能性の幾つか又は全部をインプリメントする。
【０１３２】
しかも、図１０で表されたコンポーネント及び機能、並びに本明細書で説明された他のコンポーネント及び機能は、任意の適切な手段を使用してインプリメントされる。そのような手段は、更に、本明細書で教示されるような対応する構造を使用して少なくとも部分的にインプリメントされてよい。例えば、幾つかの態様において、制御するための手段はコントローラを備え、認証するための手段は認証プロセッサを備え、送信するための手段は送信機を備え、受信するための手段は受信機を備え、入力するための手段はユーザ入力デバイスを備え、表示するための手段はユーザ出力デバイスを備え、少なくとも１つの距離を決定するための手段は距離決定器を備え、比較するための手段は比較器を備え、表示を生成するための手段は表示生成器を備え、時間量を決定するための手段はタイマを備える。そのような手段の１つ又は複数は、図１０のプロセッサ・コンポーネントの１つ又は複数に従ってインプリメントされる。
【０１３３】
当業者は、情報及び信号が、異なる多様な技術及び手法の任意のものを使用して表されてよいことを理解するであろう。例えば、上記の説明の至る所で参照されてよいデータ、命令、コマンド、情報、信号、ビット、記号、及びチップは、電圧、電流、電磁波、磁場又は磁性粒子、光場又は光学粒子、又はこれらの任意の組み合わせによって表されてもよい。
【０１３４】
当業者は、本明細書で開示された態様に関して説明された様々な例示的論理ブロック、モジュール、プロセッサ、手段、回路、及びアルゴリズム・ステップが、電子ハードウェア（例えば、ソース・コーディング又は他の手法を使用して設計されるディジタル実装、アナログ実装、又はこれら２つの組み合わせ）、命令を組み入れる様々な形態のプログラム又は設計コード（これらは本明細書で便宜上「ソフトウェア」又は「ソフトウェア・モジュール」と呼ばれてよい）、又は双方の組み合わせとしてインプリメントされてよいことを更に理解するであろう。ハードウェア及びソフトウェアのこの互換性を明瞭に論証するため、様々な例示的コンポーネント、ブロック、モジュール、回路、及びステップが、一般的にこれらの機能性に関連して上記で説明された。そのような機能性がハードウェアとしてインプリメントされるか、ソフトウェアとしてインプリメントされるかは、システム全体に課された具体的なアプリケーション及び設計の制約に依存する。熟練した技術者は、説明された機能性を、各々の具体的応用のために様々な方途でインプリメンテーションするかも知れないが、そのようなインプリメンテーションの意思決定は、この開示の範囲からの逸脱を引き起こすものと解釈されてはならない。
【０１３５】
本明細書で開示された態様に関して説明された様々な例示的論理ブロック、モジュール、及び回路は、集積回路（ＩＣ）、アクセス端末、又はアクセス・ポイントの中でインプリメンテーションされるか、これらによって実行されてもよい。ＩＣは、本明細書で説明された機能を実行するように設計された汎用プロセッサ、ディジタル信号プロセッサ（ＤＳＰ）、アプリケーション特定集積回路（ＡＳＩＣ）、フィールドプログラマブルゲートアレイ（ＦＰＧＡ）、又は他のプログラマブル論理デバイス、離散的ゲート又はトランジスタ論理、離散的ハードウェア・コンポーネント、電気コンポーネント、光コンポーネント、機械コンポーネント、又はこれらの組み合わせを備え、ＩＣの内部、ＩＣの外部、又は双方に存在するコード又は命令を実行する。汎用プロセッサはマイクロプロセッサであるが、代替案として、プロセッサは従来のプロセッサ、コントローラ、マイクロコントローラ、又は状態機械であってもよい。プロセッサは、コンピューティング・デバイスの組み合わせ、例えば、ＤＰＳとマイクロプロセッサの組み合わせ、複数のマイクロプロセッサ、ＤＳＰコアと結合した１つ又は複数のマイクロプロセッサ、又は他のそのような構成であってもよい。
【０１３６】
任意の開示されたプロセスにおけるステップの任意の具体的順序又は階層は、サンプルアプローチの例であることを理解すべきである。設計選好に基づいて、プロセスにおけるステップの具体的順序又は階層は再配列されてよいが、それでもこの開示の範囲内のままであることが理解される。添付の方法クレームは、サンプル順序における様々なステップの要素を呈示し、呈示された具体的順序又は階層へ限定されることを意味しない。
【０１３７】
本明細書で開示された態様に関して説明された方法又はアルゴリズムのステップは、ハードウェア、プロセッサによって実行されるソフトウェア・モジュール、又はこれら２つの組み合わせで直接体現されてよい。ソフトウェア・モジュール（例えば、実行可能命令及び関連データを含む）及び他のデータは、データ・メモリ、例えば、ＲＡＭメモリ、フラッシュ・メモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当分野で公知の他の形態のコンピュータ読み取り可能記憶メディアの中に存在してよい。サンプル記憶メディアは、機械、例えば、コンピュータ／プロセッサ（これらは本明細書では便宜上「プロセッサ」と呼ばれる）へ結合されてよく、そのようなプロセッサは記憶メディアから情報（例えば、コード）を読み取り、情報を書き込むことができる。サンプル記憶メディアは、プロセッサへ一体化されてよい。プロセッサ及び記憶メディアはＡＳＩＣの中に存在してよい。ＡＳＩＣはユーザ機器の中に存在してよい。代替案として、プロセッサ及び記憶メディアはユーザ機器の中の離散的コンポーネントとして存在してよい。なおまた、幾つかの態様において、任意の適切なコンピュータ・プログラムプロダクトは、この開示の１つ又は複数の態様に関連するコード（例えば、少なくとも１つのコンピュータによって実行可能である）を備えるコンピュータ読み取り可能メディアを備えてよい。幾つかの態様において、コンピュータ・プログラムプロダクトは、パッケージ資料を備えてよい。
【０１３８】
開示された態様のこれまでの説明は、当業者がこの開示を実施できるようにするために提供される。これらの態様への様々な修正は、当業者にとって容易に明らかであり、本明細書で規定された一般的原理は、この開示の範囲から逸脱することなく他の態様へ適用されてよい。こうして、この開示は、本明細書で示された態様へ限定されることを意図されず、本明細書で開示された原理及び新規な特徴と矛盾しない最も広い範囲を付与されるべきである。
以下に、本願出願の当初の特許請求の範囲に記載された発明を付記する。
［Ｃ１］  デバイスの機能性を制御する方法であって、
少なくとも１つの機能の第１の集合を実行する要求を第１のデバイスによって第２のデバイスから受け取ることと、
前記第１のデバイスと前記第２のデバイスとの間の少なくとも１つの決定された距離に関連する表示に基づいて、前記第２のデバイスによって要求された前記少なくとも１つの機能の第１の集合を実行することを前記第１のデバイスが許されるかどうかを制御することと、
を備える方法。
［Ｃ２］  前記制御することは、前記少なくとも１つの機能の第１の集合を実行するように前記第１のデバイスを動作可能にすることを備える、Ｃ１に記載の方法。
［Ｃ３］  前記制御することは、前記少なくとも１つの機能の第１の集合を実行しないように前記第１のデバイスを動作不能にすることを備える、Ｃ１に記載の方法。
［Ｃ４］  前記表示が規定された基準を満たす時間量を決定することを更に備え、前記制御することは前記決定された時間量に基づく、Ｃ１に記載の方法。
［Ｃ５］  もし前記表示が規定された閾値よりも小さいか前記規定された閾値に等しいならば、前記制御することは、前記少なくとも１つの機能の第１の集合を実行するように前記第１のデバイスを動作可能にすることを備える、Ｃ１に記載の方法。
［Ｃ６］  前記表示は、
前記第１のデバイスと前記第２のデバイスとの間の決定された距離、
前記第１のデバイスと前記第２のデバイスとの間の相対距離における決定された変化率、又は、
前記第１のデバイスと前記第２のデバイスとの間の決定された相対加速度
を備える、Ｃ５に記載の方法。
［Ｃ７］  もし前記表示が規定された閾値よりも大きいか前記規定された閾値に等しければ、前記制御することは、前記少なくとも１つの機能の第１の集合を実行しないように前記第１のデバイスを動作不能にすることを備える、Ｃ１に記載の方法。
［Ｃ８］  前記表示は、
前記第１のデバイスと前記第２のデバイスとの間の決定された距離、
前記第１のデバイスと前記第２のデバイスとの間の相対距離における決定された変化率、
又は、
前記第１のデバイスと前記第２のデバイスとの間の決定された相対加速度
を備える、Ｃ７に記載の方法。
［Ｃ９］  前記制御することは、前記表示が規定された値の範囲の中に入るかどうかに更に基づく、Ｃ１に記載の方法。
［Ｃ１０］  前記表示は、
前記第１のデバイスと前記第２のデバイスとの間の決定された距離、
前記第１のデバイスと前記第２のデバイスとの間の複数の決定された距離、
前記第１のデバイスと前記第２のデバイスとの間の相対距離における決定された変化率、又は、
前記第１のデバイスと前記第２のデバイスとの間の決定された相対加速度
を備える、Ｃ９に記載の方法。
［Ｃ１１］  前記少なくとも１つの決定された距離は、前記第１のデバイスと前記第２のデバイスとの間の複数の決定された距離を備え、
前記表示は、前記複数の決定された距離に関連する表示を備え、
前記制御することは、前記表示が、規定されたシーケンスと実質的に同じであるかどうかに基づく、Ｃ１に記載の方法。
［Ｃ１２］  前記決定されたシーケンスは、
前記第１のデバイスと前記第２のデバイスとの間の決定された距離のシーケンス、
前記第１のデバイスと前記第２のデバイスとの間の相対距離における決定された変化率のシーケンス、又は
前記第１のデバイスと前記第２のデバイスとの間の決定された相対加速度のシーケンス
を備える、Ｃ１１に記載の方法。
［Ｃ１３］  前記少なくとも１つの機能の第１の集合は、少なくとも１つの第１の機能及び少なくとも１つの第２の機能を備え、
前記少なくとも１つの決定された距離は、前記第１のデバイスと前記第２のデバイスとの間の少なくとも１つの第１の決定された距離を備え、及び前記第１のデバイスと前記第２のデバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記制御することは、少なくとも１つの第１の機能を実行することを前記第１のデバイスが許されるかどうかを前記第１の下位表示に基づいて制御することを備え、及び前記少なくとも１つの第２の機能を実行することを前記第１のデバイスが許されるかどうかを前記第２の下位表示に基づいて制御することを更に備える、Ｃ１に記載の方法。
［Ｃ１４］  前記第１の下位表示は、前記第１のデバイスと前記第２のデバイスとの間の第１の距離、前記第１のデバイスと前記第２のデバイスとの間の相対距離における第１の変化率、又は前記第１のデバイスと前記第２のデバイスとの間の第１の相対加速度を備え、
前記第２の下位表示は、前記第１のデバイスと前記第２のデバイスとの間の第２の距離、前記第１のデバイスと前記第２のデバイスとの間の相対距離における第２の変化率、又は前記第１のデバイスと前記第２のデバイスとの間の第２の相対加速度を備える、Ｃ１３に記載の方法。
［Ｃ１５］  前記第１のデバイスと前記第２のデバイスとの間の前記少なくとも１つの距離を反復して決定し、
前記少なくとも１つの機能の第１の集合を実行するように前記第１のデバイスを動作可能にすること、又は
前記少なくとも１つの機能の第１の集合を実行しないように前記第１のデバイスを動作不能にすること
を継続するかどうかを反復して決定することを更に備える、Ｃ１に記載の方法。
［Ｃ１６］  前記制御することは、少なくとも１つの公開又は秘密暗号鍵に基づいて第２のデバイスを第１のデバイスに対して認証することを備える、Ｃ１に記載の方法。
［Ｃ１７］  前記制御することは、
前記第１のデバイスのユーザ入力デバイスの作動時間を表す第１の表示を獲得することと、
前記第２のデバイスのユーザ入力デバイスの作動時間を表す第２の表示を受け取ることと、
前記第１の表示を前記第２の表示と比較して、前記第１のデバイスの前記ユーザ入力デバイスの前記作動が前記第２のデバイスの前記ユーザ入力デバイスの前記作動と実質的に同時に起こったかどうかを決定することと、
を備える、Ｃ１に記載の方法。
［Ｃ１８］  到着時刻の測定に基づいて前記第１のデバイスと前記第２のデバイスとの間の前記少なくとも１つの距離を決定することを更に備える、Ｃ１に記載の方法。
［Ｃ１９］  測距関連情報を前記第２のデバイスから受け取ることと、
前記測距関連情報に基づいて前記第１のデバイスと前記第２のデバイスとの間の前記少なくとも１つの距離を決定することと、
を更に備える、Ｃ１に記載の方法。
［Ｃ２０］  超広帯域パルスを前記第２のデバイスから受け取ることと、
前記超広帯域パルスに基づいて前記第１のデバイスと前記第２のデバイスとの間の前記少なくとも１つの距離を決定することと、
を更に備える、Ｃ１に記載の方法。
［Ｃ２１］  前記超広帯域パルスは、おおよそ２０％以上の比帯域幅を有し、おおよそ５００ＭＨｚ以上の帯域幅を有し、又は、おおよそ２０％以上の比帯域幅で且つおおよそ５００ＭＨｚ以上の帯域幅を有する、Ｃ２０に記載の方法。
［Ｃ２２］  前記少なくとも１つの機能の第１の集合は、接続を確立すること、情報へのアクセスを提供すること、前記第１及び第２のデバイスを対にすること、ディジタルライツを移転すること、及びデバイスの設定を修正することから成る群の少なくとも１つを備える、Ｃ１に記載の方法。
［Ｃ２３］  機能性を制御する装置であって、
少なくとも１つの機能の第１の集合を実行する要求をデバイスから受け取るように適応された受信機と、
前記装置と前記デバイスとの間の少なくとも１つの決定された距離に関連する表示に基づいて、前記デバイスによって要求された前記少なくとも１つの機能の第１の集合を前記装置が実行することを許されるかどうかを制御するように適応されたコントローラと、
を備える装置。
［Ｃ２４］  前記制御は、前記少なくとも１つの機能の第１の集合を実行するように前記装置を動作可能にすることを備える、Ｃ２３に記載の装置。
［Ｃ２５］  前記制御は、前記少なくとも１つの機能の第１の集合を実行しないように前記装置を動作不能にすることを備える、Ｃ２３に記載の装置。
［Ｃ２６］  前記表示が規定された基準を満たす時間量を決定するように適応されたタイマを更に備え、前記制御は前記決定された時間量に基づく、Ｃ２３に記載の装置。
［Ｃ２７］  前記表示を規定された閾値と比較するように適応さたれ比較器を更に備え、もし前記表示が前記規定された閾値よりも小さいか前記規定された閾値に等しければ、前記制御は、前記少なくとも１つの機能の第１の集合を実行するように前記装置を動作可能にすることを備える、Ｃ２３に記載の装置。
［Ｃ２８］  前記表示を生成するように適応された表示生成器を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ２７に記載の装置。
［Ｃ２９］  前記表示を規定された閾値と比較するように適応された比較器を更に備え、もし前記表示が前記規定された閾値よりも大きいか前記規定された閾値と等しければ、前記制御は、前記少なくとも１つの機能の第１の集合を実行しないように前記装置を動作不能にすることを備える、Ｃ２３に記載の装置。
［Ｃ３０］  前記表示を生成するように適応された表示生成器を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ２９に記載の装置。
［Ｃ３１］  前記表示を規定された値の範囲と比較するように適応された比較器を更に備え、前記制御は、前記表示が前記規定された値の範囲に入るかどうかに更に基づく、Ｃ２３に記載の装置。
［Ｃ３２］  前記表示を生成するように適応された表示生成器を更に備え、
前記表示は、
前記装置と前記デバイスとの間の決定された距離、
前記装置と前記デバイスとの間の複数の決定された距離、
前記装置と前記デバイスとの間の相対距離における決定された変化率、又は
前記装置と前記デバイスとの間の決定された相対加速度
を備える、Ｃ３１に記載の装置。
［Ｃ３３］  前記少なくとも１つの決定された距離を決定するように適応された距離決定器であって、前記少なくとも１つの決定された距離は、前記装置と前記デバイスとの間の複数の決定された距離を備える、距離決定器と、
前記表示を生成するように適応された表示生成器であって、前記表示は前記複数の決定された距離に関連する決定されたシーケンスを備える、表示生成器と、
前記表示を規定されたシーケンスと比較するように適応された比較器と、
を更に備え、
前記制御は、前記表示が前記規定されたシーケンスと実質的に同じであるかどうかに更に基づく、Ｃ２３に記載の装置。
［Ｃ３４］  前記決定されたシーケンスは、
前記装置と前記デバイスとの間の決定された距離のシーケンス、
前記装置と前記デバイスとの間の相対距離における決定された変化率のシーケンス、又は
前記装置と前記デバイスとの間の決定された相対加速度のシーケンス
を備える、Ｃ３３に記載の装置。
［Ｃ３５］  前記少なくとも１つの機能の第１の集合は、少なくとも１つの第１の機能及び少なくとも１つの第２の機能を備え、
前記少なくとも１つの決定された距離は、前記装置と前記デバイスとの間の少なくとも１つの第１の決定された距離を備え、及び前記装置と前記デバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記コントローラは、前記装置が前記少なくとも１つの第１の機能を実行することを許されるかどうかを前記第１の下位表示に基づいて制御するように更に適応され、及び前記装置が前記少なくとも１つの第２の機能を実行することを許されるかどうかを前記第２の下位表示に基づいて制御するように更に適応される、Ｃ２３に記載の装置。
［Ｃ３６］  前記第１の下位表示は、前記装置と前記デバイスとの間の第１の距離、前記装置と前記デバイスとの間の相対距離における第１の変化率、又は前記装置と前記デバイスとの間の第１の相対加速度を備え、
前記第２の下位表示は、前記装置と前記デバイスとの間の第２の距離、前記装置と前記デバイスとの間の相対距離における第２の変化率、又は前記装置と前記デバイスとの間の第２の相対加速度を備える、Ｃ３５に記載の装置。
［Ｃ３７］  前記装置と前記デバイスとの間の前記少なくとも１つの距離を反復して決定するように適応された距離決定器を更に備え、
前記コントローラは、
前記少なくとも１つの機能の第１の集合を実行するように前記装置を動作可能にすること、又は
前記少なくとも１つの機能の第１の集合を実行しないように前記装置を動作不能にすること
を継続するかどうかを、前記反復して決定された少なくとも１つの距離に基づいて、反復して決定するように更に適応される、Ｃ２３に記載の装置。
［Ｃ３８］  前記コントローラは、少なくとも１つの公開又は秘密暗号鍵に基づいて前記デバイスを前記装置に対して認証するように適応された認証プロセッサを備える、Ｃ２３に記載の装置。
［Ｃ３９］  ユーザ入力デバイスを更に備え、
前記コントローラは、
前記装置の前記ユーザ入力デバイスの作動時間を表す第１の表示を獲得し、
前記デバイスのユーザ入力デバイスの作動時間を表す第２の表示を受け取り、
前記第１の表示を前記第２の表示と比較して、前記装置の前記ユーザ入力デバイスの前記作動が、前記デバイスの前記ユーザ入力デバイスの前記作動と実質的に同時に起こったかどうかを決定するように更に適応される、Ｃ２３に記載の装置。
［Ｃ４０］  前記装置と前記デバイスとの間の前記少なくとも１つの距離を、到着時刻の測定に基づいて決定するように適応された距離決定器を更に備える、Ｃ２３に記載の装置。
［Ｃ４１］  前記受信機は、前記デバイスから測距関連情報を受け取るように更に適応され、前記装置は、前記装置と前記デバイスとの間の前記少なくとも１つの距離を測距関連情報に基づいて決定するように適応された距離決定器を更に備える、Ｃ２３に記載の装置。
［Ｃ４２］  前記受信機は、前記デバイスから超広帯域パルスを受け取るように更に適応され、前記装置は、前記装置と前記デバイスとの間の前記少なくとも１つの距離を前記超広帯域パルスに基づいて決定するように適応された距離決定器を更に備える、Ｃ２３に記載の装置。
［Ｃ４３］  前記超広帯域パルスは、おおよそ２０％以上の比帯域幅を有し、おおよそ５００ＭＨｚ以上の帯域幅を有し、又はおおよそ２０％以上の比帯域幅で且つおおよそ５００ＭＨｚ以上の帯域幅を有する、Ｃ４２に記載の装置。
［Ｃ４４］  前記少なくとも１つの機能の第１の集合は、接続を確立すること、情報へのアクセスを提供すること、前記装置と前記デバイスを対にすること、ディジタルライツを移転すること、及びデバイスの設定を修正することから成る群の少なくとも１つを備える、Ｃ２３に記載の装置。
［Ｃ４５］  機能性を制御する装置であって、
少なくとも１つの機能の第１の集合を実行する要求をデバイスから受け取る手段と、
前記装置と前記デバイスとの間の少なくとも１つの決定された距離に関連する表示に基づいて、前記デバイスによって要求された少なくとも１つの機能の前記第１の集合を実行することを前記装置が許されるかどうかを制御する手段と、
を備える装置。
［Ｃ４６］  前記制御は、前記少なくとも１つの機能の第１の集合を実行するように前記装置を動作可能にすることを備える、Ｃ４５に記載の装置。
［Ｃ４７］  前記制御は、前記少なくとも１つの機能の第１の集合を実行しないように前記装置を動作不能にすることを備える、Ｃ４５に記載の装置。
［Ｃ４８］  前記表示が規定された基準を満たす時間量を決定する手段を更に備え、前記制御することは前記決定された時間量に基づく、Ｃ４５に記載の装置。
［Ｃ４９］  前記表示を規定された閾値と比較する手段を更に備え、もし前記表示が前記規定された閾値よりも小さいか前記規定された閾値に等しければ、前記制御は、少なくとも１つの機能の前記第１の集合を実行するように前記装置を動作可能にすることを備える、Ｃ４５に記載の装置。
［Ｃ５０］  前記表示を生成する手段を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ４９に記載の装置。
［Ｃ５１］  前記表示を規定された閾値と比較する手段を更に備え、もし前記表示が前記規定された閾値よりも大きいか前記規定された閾値に等しければ、前記制御は、少なくとも１つの機能の前記第１の集合を実行しないように前記装置を動作不能にすることを備える、Ｃ４５に記載の装置。
［Ｃ５２］  前記表示を生成する手段を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ５１に記載の装置。
［Ｃ５３］  前記表示を規定された値の範囲と比較する手段を更に備え、前記制御は、前記表示が前記規定された値の範囲に入るかどうかに基づく、Ｃ４５に記載の装置。
［Ｃ５４］  前記表示を生成する手段を更に備え、
前記表示は、
前記装置と前記デバイスとの間の決定された距離、
前記装置と前記デバイスとの間の複数の決定された距離、
前記装置と前記デバイスとの間の相対距離における決定された変化率、又は
前記装置と前記デバイスとの間の決定された相対加速度
を備える、Ｃ５３に記載の装置。
［Ｃ５５］  前記少なくとも１つの決定された距離を決定する手段であって、前記少なくとも１つの決定された距離は、前記装置と前記デバイスとの間の複数の決定された距離を備える、手段と、
前記表示を生成する手段であって、前記表示は、前記複数の決定された距離に関連する決定されたシーケンスを備える、手段と、
前記表示を、規定されたシーケンスと比較する手段と、
を更に備え、
前記制御は、前記表示が前記規定されたシーケンスと実質的に同じであるかどうかに更に基づく、Ｃ４５に記載の装置。
［Ｃ５６］  前記決定されたシーケンスは、
前記装置と前記デバイスとの間の決定された距離のシーケンス、
前記装置と前記デバイスとの間の相対距離における決定された変化率のシーケンス、又は
前記装置と前記デバイスとの間の決定された相対加速度のシーケンス
を備える、Ｃ５５に記載の装置。
［Ｃ５７］  前記少なくとも１つの機能の第１の集合は、少なくとも１つの第１の機能及び少なくとも１つの第２の機能を備え、
前記少なくとも１つの決定された距離は、前記装置と前記デバイスとの間の少なくとも１つの第１の決定された距離を備え、及び前記装置と前記デバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記制御する手段は、前記装置が前記少なくとも１つの第１の機能を実行することを許されるかどうかを前記第１の下位表示に基づいて制御し、及び前記装置が前記少なくとも１つの第２の機能を実行することを許されるかどうかを前記第２の下位表示に基づいて更に制御する、Ｃ４５に記載の装置。
［Ｃ５８］  前記第１の下位表示は、前記装置と前記デバイスとの間の第１の距離、前記装置と前記デバイスとの間の相対距離における第１の変化率、又は前記装置と前記デバイスとの間の第１の相対加速度を備え、
前記第２の下位表示は、前記装置と前記デバイスとの間の第２の距離、前記装置と前記デバイスとの間の相対距離における第２の変化率、又は前記装置と前記デバイスとの間の第２の相対加速度を備える、Ｃ５７に記載の装置。
［Ｃ５９］  前記装置と前記デバイスとの間の前記少なくとも１つの距離を反復して決定する手段を更に備え、
前記制御する手段は、
少なくとも１つの機能の前記第１の集合を実行するように前記装置を動作可能にすること、又は
少なくとも１つの機能の前記第１の集合を実行しないように前記装置を動作不能にすること
を継続するかどうかを、前記反復して決定された少なくとも１つの距離に基づいて反復して決定する、Ｃ４５に記載の装置。
［Ｃ６０］  前記制御する手段は、少なくとも１つの公開又は秘密暗号鍵に基づいて前記デバイスを前記装置に対して認証する手段を備える、Ｃ４５に記載の装置。
［Ｃ６１］  入力する手段を更に備え、
前記制御する手段は、
前記装置の前記入力する手段の作動の時間を表す第１の表示を獲得し、
前記デバイスの入力する手段の作動の時間を表す第２の表示を受け取り、及び
前記第１の表示を前記第２の表示と比較して、前記装置の前記入力する手段の前記作動が前記デバイスの前記入力する手段の前記作動と実質的に同時に起こったかどうかを決定する、Ｃ４５に記載の装置。
［Ｃ６２］  前記装置と前記デバイスとの間の前記少なくとも１つの距離を、到着時刻の測定に基づいて決定する手段を更に備える、Ｃ４５に記載の装置。
［Ｃ６３］  前記受け取る手段は前記デバイスから測距関連情報を受け取り、前記装置は、前記装置と前記デバイスとの間の前記少なくとも１つの距離を前記測距関連情報に基づいて決定する手段を更に備える、Ｃ４５に記載の装置。
［Ｃ６４］  前記受け取る手段は前記デバイスから超広帯域パルスを受け取り、前記装置は、前記装置と前記デバイスとの間の前記少なくとも１つの距離を前記超広帯域パルスに基づいて決定する手段を更に備える、Ｃ４５に記載の装置。
［Ｃ６５］  前記超広帯域パルスは、おおよそ２０％以上の比帯域幅を有し、おおよそ５００ＭＨｚ以上の帯域幅を有し、又はおおよそ２０％以上の比帯域幅で且つおおよそ５００ＭＨｚ以上の帯域幅を有する、Ｃ６４に記載の装置。
［Ｃ６６］  前記少なくとも１つの機能の第１の集合は、接続を確立すること、情報へのアクセスを提供すること、前記装置及び前記デバイスを対にすること、ディジタルライツを移転すること、及びデバイスの設定を修正することから成る群の少なくとも１つを備える、Ｃ４５に記載の装置。
［Ｃ６７］  機能性を制御するコンピュータ・プログラムプロダクトであって、
コンピュータ読み取り可能メディアを備え、
前記コンピュータ読み取り可能メディアは、少なくとも１つのコンピュータに、
少なくとも１つの機能の第１の集合を実行する要求を第２のデバイスから受け取らせ、
前記第２のデバイスによって要求された前記少なくとも１つの機能の第１の集合を実行することを第１のデバイスが許されるかどうかを前記第１のデバイスと前記第２のデバイスとの間の少なくとも１つの決定された距離に関連する表示に基づいて制御させるための実行可能なコードを備える、コンピュータ・プログラムプロダクト。
［Ｃ６８］  機能性を制御するヘッドセットであって、
少なくとも１つの機能の第１の集合を実行する要求をデバイスから受け取るように適応された受信機と、
前記デバイスによって要求された前記少なくとも１つの機能の第１の集合を実行することを前記ヘッドセットが許されるかどうかを、前記ヘッドセットと前記デバイスとの間の少なくとも１つの決定された距離に関連する表示に基づいて制御するように適応されたコントローラと、
前記受信機によって受け取られた信号に基づいて可聴出力を提供するように適応されたトランスデューサと、
を備えるヘッドセット。
［Ｃ６９］  機能性を制御する時計であって、
少なくとも１つの機能の第１の集合を実行する要求をデバイスから受け取るように適応された受信機と、
前記デバイスによって要求された前記少なくとも１つの機能の第１の集合を実行することを前記時計が許されるかどうかを、前記時計と前記デバイスとの間の少なくとも１つの決定された距離に関連する表示に基づいて制御するように適応されたコントローラと、
前記受信機によって受け取られた信号に基づいて可視出力を提供するように適応されたディスプレイと、
を備える時計。
［Ｃ７０］  機能性を制御する医療用デバイスであって、
少なくとも１つの機能の第１の集合を実行する要求をデバイスから受け取るように適応された受信機と、
前記デバイスによって要求された前記少なくとも１つの機能の第１の集合を実行することを前記医療用デバイスが許されるかどうかを、前記医療用デバイスと前記デバイスとの間の少なくとも１つの決定された距離に関連する表示に基づいて制御するように適応されたコントローラと、
前記デバイスへ送信されるべき感知信号を生成するように適応されたセンサと、
を備える医療用デバイス。
［Ｃ７１］  デバイスの機能性を制御する方法であって、
第１のデバイスが少なくとも１つの機能の第１の集合を実行するように第２のデバイスに要求することを許されるかどうかを、前記第１のデバイスと前記第２のデバイスとの間の少なくとも１つの決定された距離に関連する表示に基づいて制御することと、
前記少なくとも１つの機能の第１の集合を実行する要求を前記第１のデバイスによって前記第２のデバイスへ送信することと、
を備える方法。
［Ｃ７２］  前記制御することは、前記少なくとも１つの機能の第１の集合を実行することを前記第２のデバイスに要求するように前記第１のデバイスを動作可能にすることを備える、Ｃ７１に記載の方法。
［Ｃ７３］  前記制御することは、前記少なくとも１つの機能の第１の集合を実行することを前記第２のデバイスに要求しないように前記第１のデバイスを動作不能にすることを備える、Ｃ７１に記載の方法。
［Ｃ７４］  前記表示が規定された基準を満たす時間量を決定することを更に備え、前記制御することは前記決定された時間量に基づく、Ｃ７１に記載の方法。
［Ｃ７５］  もし前記表示が規定された閾値よりも小さいか前記規定された閾値に等しいならば、前記制御することは、前記少なくとも１つの機能の第１の集合を実行することを前記第２のデバイスに要求するように前記第１のデバイスを動作可能にすることを備える、Ｃ７１に記載の方法。
［Ｃ７６］  前記表示は、
前記第１のデバイスと前記第２のデバイスとの間の決定された距離、
前記第１のデバイスと前記第２のデバイスとの間の相対距離における決定された変化率、又は
前記第１のデバイスと前記第２のデバイスとの間の決定された相対加速度
を備える、Ｃ７５に記載の方法。
［Ｃ７７］  もし前記表示が規定された閾値よりも大きいか前記規定された閾値と等しければ、前記制御することは、前記少なくとも１つの機能の第１の集合を実行することを前記第２のデバイスに要求しないように前記第１のデバイスを動作不能にすることを備える、Ｃ７１に記載の方法。
［Ｃ７８］  前記表示は、
前記第１のデバイスと前記第２のデバイスとの間の決定された距離、
前記第１のデバイスと前記第２のデバイスとの間の相対距離における決定された変化率、又は
前記第１のデバイスと前記第２のデバイスとの間の決定された相対加速度
を備える、Ｃ７７に記載の方法。
［Ｃ７９］  前記制御することは、前記表示が規定された値の範囲に入るかどうかに更に基づく、Ｃ７１に記載の方法。
［Ｃ８０］  前記表示は、
前記第１のデバイスと前記第２のデバイスとの間の決定された距離、
前記第１のデバイスと前記第２のデバイスとの間の複数の決定された距離、
前記第１のデバイスと前記第２のデバイスとの間の相対距離における決定された変化率、又は
前記第１のデバイスと前記第２のデバイスとの間の決定された相対加速度
を備える、Ｃ７９に記載の方法。
［Ｃ８１］  前記少なくとも１つの決定された距離は、前記第１のデバイスと前記第２のデバイスとの間の複数の決定された距離を備え、
前記表示は、前記複数の決定された距離に関連する決定されたシーケンスを備え、
前記制御することは、前記表示が規定されたシーケンスと実質的に同じであるかどうかに更に基づく、Ｃ７１に記載の方法。
［Ｃ８２］  前記決定されたシーケンスは、
前記第１のデバイスと前記第２のデバイスとの間の決定された距離のシーケンス、
前記第１のデバイスと前記第２のデバイスとの間の相対距離における決定された変化率のシーケンス、又は
前記第１のデバイスと前記第２のデバイスとの間の決定された相対加速度のシーケンス
を備える、Ｃ８１に記載の方法。
［Ｃ８３］  前記少なくとも１つの機能の第１の集合は、少なくとも１つの第１の機能及び少なくとも１つの第２の機能を備え、
前記少なくとも１つの決定された距離は、前記第１のデバイスと前記第２のデバイスとの間の少なくとも１つの第１の決定された距離を備え、及び前記第１のデバイスと前記第２のデバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記制御することは、前記少なくとも１つの第１の機能を実行するように前記第２のデバイスに要求することを前記第１のデバイスが許されるかどうかを前記第１の下位表示に基づいて制御することを備え、及び前記少なくとも１つの第２の機能を実行するように前記第２のデバイスに要求することを前記第１のデバイスが許されるかどうかを前記第２の下位表示に基づいて制御することを更に備える、Ｃ７１に記載の方法。
［Ｃ８４］  前記第１の下位表示は、前記第１のデバイスと前記第２のデバイスとの間の第１の距離、前記第１のデバイスと前記第２のデバイスとの間の相対距離における第１の変化率、又は前記第１のデバイスと前記第２のデバイスとの間の第１の相対加速度を備え、
前記第２の下位表示は、前記第１のデバイスと前記第２のデバイスとの間の第２の距離、前記第１のデバイスと前記第２のデバイスとの間の相対距離における第２の変化率、又は前記第１のデバイスと前記第２のデバイスとの間の第２の相対加速度を備える、Ｃ８３に記載の方法。
［Ｃ８５］  前記第１のデバイスと前記第２のデバイスとの間の前記少なくとも１つの距離を反復して決定し、
前記少なくとも１つの機能の第１の集合を実行することを前記第２のデバイスに要求するように前記第１のデバイスを動作可能にすること、又は
前記少なくとも１つの機能の第１の集合を実行することを前記第２のデバイスに要求しないように前記第１のデバイスを動作不能にすること
を継続するかどうかを反復して決定することを更に備える、Ｃ７１に記載の方法。
［Ｃ８６］  前記制御することは、少なくとも１つの公開又は秘密暗号鍵に基づいて前記第２のデバイスを前記第１のデバイスに対して認証することを備える、Ｃ７１に記載の方法。
［Ｃ８７］  前記制御することは、
前記第１のデバイスのユーザ入力デバイスの作動時間を表す第１の表示を獲得することと、
前記第２のデバイスのユーザ入力デバイスの作動の時間を表す第２の表示を受け取ることと、
前記第１の表示を前記第２の表示と比較して、前記第１のデバイスの前記ユーザ入力デバイスの前記作動が前記第２のデバイスの前記ユーザ入力デバイスの前記作動と実質的に同時に起こったかどうかを決定することと、
を備える、Ｃ７１に記載の方法。
［Ｃ８８］  前記制御することは、前記第１のデバイスの機能性を動作可能にして前記要求を生成することを備える、Ｃ７１に記載の方法。
［Ｃ８９］  前記機能性を動作可能にすることは、前記第１のデバイスの表示デバイス上に表示を提供することを備える、Ｃ８８に記載の方法。
［Ｃ９０］  前記第１のデバイスと前記第２のデバイスとの間の前記少なくとも１つの距離を、到着時刻の測定に基づいて決定することを更に備える、Ｃ７１に記載の方法。
［Ｃ９１］  前記第２のデバイスから測距関連情報を受け取ることと、
前記第１のデバイスと前記第２のデバイスとの間の前記少なくとも１つの距離を、前記測距関連情報に基づいて決定することと、
を更に備える、Ｃ７１に記載の方法。
［Ｃ９２］  超広帯域パルスを前記第２のデバイスから受け取ることと、
前記第１のデバイスと前記第２のデバイスとの間の前記少なくとも１つの距離を、前記超広帯域パルスに基づいて決定することと、
を更に備える、Ｃ７１に記載の方法。
［Ｃ９３］  前記超広帯域パルスは、おおよそ２０％以上の比帯域幅を有し、おおよそ５００ＭＨｚ以上の帯域幅を有し、又は、おおよそ２０％以上の比帯域幅で且つおおよそ５００ＭＨｚ以上の帯域幅を有する、Ｃ９２に記載の方法。
［Ｃ９４］  前記少なくとも１つの機能の第１の集合は、接続を確立すること、情報へのアクセスを提供すること、前記第１及び第２のデバイスを対にすること、ディジタルライツを移転すること、及びデバイスの設定を修正することから成る群の少なくとも１つを備える、Ｃ７１に記載の方法。
［Ｃ９５］  機能性を制御する装置であって、
少なくとも１つの機能の第１の集合を実行するようにデバイスに要求することを前記装置が許されるかどうかを、前記装置と前記デバイスとの間の少なくとも１つの決定された距離に関連する表示に基づいて制御するように適応されたコントローラと、
前記少なくとも１つの機能の第１の集合を実行する要求を前記デバイスへ送信するように適応された送信機と、
を備える装置。
［Ｃ９６］  前記制御は、前記少なくとも１つの機能の第１の集合を実行することを前記デバイスに要求するように前記装置を動作可能にすることを備える、Ｃ９５に記載の装置。
［Ｃ９７］  前記制御は、前記少なくとも１つの機能の第１の集合を実行することを前記デバイスに要求しないように前記装置を動作不能にすることを備える、Ｃ９５に記載の装置。
［Ｃ９８］  前記表示が規定された基準を満たす時間量を決定するように適応されたタイマを更に備え、前記制御は、前記決定された時間量に基づく、Ｃ９５に記載の装置。
［Ｃ９９］  前記表示を規定された閾値と比較するように適応された比較器を更に備え、もし前記表示が前記規定された閾値よりも小さいか前記規定された閾値と等しいならば、前記制御は、前記少なくとも１つの機能の第１の集合を実行することをデバイスに要求するように前記装置を動作可能にすることを備える、Ｃ９５に記載の装置。
［Ｃ１００］  前記表示を生成するように適応された表示生成器を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ９９に記載の装置。
［Ｃ１０１］  前記表示を規定された閾値と比較するように適応された比較器を更に備え、もし前記表示が前記規定された閾値よりも大きいか前記規定された閾値と等しいならば、前記制御は、少なくとも１つの機能の前記第１の集合を実行することを前記デバイスに要求しないように前記装置を動作不能にすることを備える、Ｃ９５に記載の装置。
［Ｃ１０２］  前記表示を生成するように適応された表示生成器を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ１０１に記載の装置。
［Ｃ１０３］  前記表示を規定された値の範囲と比較するように適応された比較器を更に備え、前記制御は、前記表示が前記規定された値の範囲に入るかどうかに更に基づく、Ｃ９５に記載の装置。
［Ｃ１０４］  前記表示を生成するように適応された表示生成器を更に備え、
前記表示は、
前記装置と前記デバイスとの間の決定された距離、
前記装置と前記デバイスとの間の複数の決定された距離、
前記装置と前記デバイスとの間の相対距離における決定された変化率、又は
前記装置と前記デバイスとの間の決定された相対加速度
を備える、Ｃ１０３に記載の装置。
［Ｃ１０５］  前記少なくとも１つの決定された距離を決定するように適応された距離決定器であって、前記少なくとも１つの決定された距離は、前記装置と前記デバイスとの間の複数の決定された距離を備える、距離決定器と、
前記表示を生成するように適応された表示生成器であって、前記表示は、前記複数の決定された距離に関連する決定されたシーケンスを備える、表示生成器と、
前記表示を規定されたシーケンスと比較するように適応された比較器と、
を更に備え、
前記制御することは、前記表示が前記規定されたシーケンスと実質的に同じかどうかに基づく、Ｃ９５に記載の装置。
［Ｃ１０６］  前記決定されたシーケンスは、
前記装置と前記デバイスとの間の決定された距離のシーケンス、
前記装置と前記デバイスとの間の相対距離における決定された変化率のシーケンス、又は
前記装置と前記デバイスとの間の決定された相対加速度のシーケンス
を備える、Ｃ１０５に記載の装置。
［Ｃ１０７］  前記少なくとも１つの機能の第１の集合は少なくとも１つの第１の機能及び少なくとも１つの第２の機能を備え、
前記少なくとも１つの決定された距離は、前記装置と前記デバイスとの間の少なくとも１つの第１の決定された距離を備え、及び前記装置と前記デバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記コントローラは、前記少なくとも１つの第１の機能を実行するように前記デバイスに要求することを前記装置が許されるかどうかを前記第１の下位表示に基づいて制御するように更に適応され、及び前記少なくとも１つの第２の機能を実行するように前記デバイスに要求することを前記装置が許されるかどうかを前記第２の下位表示に基づいて制御するように更に適応される、Ｃ９５に記載の装置。
［Ｃ１０８］  前記第１の下位表示は、前記装置と前記デバイスとの間の第１の距離、前記装置と前記デバイスとの間の相対距離における第１の変化率、又は前記装置と前記デバイスとの間の第１の相対加速度を備え、
前記第２の下位表示は、前記装置と前記デバイスとの間の第２の距離、前記装置と前記デバイスとの間の相対距離における第２の変化率、又は前記装置と前記デバイスとの間の第２の相対加速度を備える、Ｃ１０７に記載の装置。
［Ｃ１０９］  前記装置と前記デバイスとの間の前記少なくとも１つの距離を反復して決定するように適応された距離決定器を更に備え、
前記コントローラは、
前記少なくとも１つの機能の第１の集合を実行することを前記デバイスに要求するように前記装置を動作可能にすること、又は
前記少なくとも１つの機能の第１の集合を実行することを前記デバイスに要求しないように前記装置を動作不能にすること
を継続するかどうかを、前記反復して決定された少なくとも１つの距離に基づいて、反復して決定するように適応される、Ｃ９５に記載の装置。
［Ｃ１１０］  前記コントローラは、少なくとも１つの公開又は秘密暗号鍵に基づいて前記デバイスを前記装置に対して認証するように適応された認証プロセッサを備える、Ｃ９５に記載の装置。
［Ｃ１１１］  ユーザ入力デバイスを更に備え、
前記コントローラは、
前記装置の前記ユーザ入力デバイスの作動時間を表す第１の表示を獲得し、
前記デバイスのユーザ入力デバイスの作動時間を表す第２の表示を受け取り、
前記第１の表示を前記第２の表示と比較して、前記装置の前記ユーザ入力デバイスの前記作動が前記デバイスの前記ユーザ入力デバイスの前記作動と実質的に同時に起こったかどうかを決定する
ように更に適応される、Ｃ９５に記載の装置。
［Ｃ１１２］  前記コントローラは、前記装置の機能性を動作可能にして前記要求を生成するように更に適応される、Ｃ９５に記載の装置。
［Ｃ１１３］  表示デバイスを更に備え、前記機能性を動作可能にすることは、前記表示デバイス上に表示を提供することを備える、Ｃ１１２に記載の装置。
［Ｃ１１４］  前記装置と前記デバイスとの間の前記少なくとも１つの距離を、到着時刻の測定に基づいて決定するように適応された距離決定器を更に備える、Ｃ９５に記載の装置。
［Ｃ１１５］  前記デバイスから測距関連情報を受け取るように適応された受信機を更に備え、前記装置は、前記装置と前記デバイスとの間の前記少なくとも１つの距離を、前記測距関連情報に基づいて決定するように適応された距離決定器を更に備える、Ｃ９５に記載の装置。
［Ｃ１１６］  前記デバイスから超広帯域パルスを受け取るように適応された受信機を更に備え、前記装置は、前記装置と前記デバイスとの間の前記少なくとも１つの距離を、前記超広帯域パルスに基づいて決定するように適応された距離決定器を更に備える、Ｃ９５に記載の装置。
［Ｃ１１７］  前記超広帯域パルスは、おおよそ２０％以上の比帯域幅を有し、おおよそ５００ＭＨｚ以上の帯域幅を有し、又は、おおよそ２０％以上の比帯域幅で且つおおよそ５００ＭＨｚ以上の帯域幅を有する、Ｃ１１６に記載の装置。
［Ｃ１１８］  前記少なくとも１つの機能の第１の集合は、接続を確立すること、情報へのアクセスを提供すること、前記装置と前記デバイスとを対にすること、ディジタルライツを移転すること、及びデバイスの設定を修正することから成る群の少なくとも１つを備える、Ｃ９５に記載の装置。
［Ｃ１１９］  機能性を制御する装置であって、
少なくとも１つの機能の第１の集合を実行することをデバイスに要求することを前記装置が許されるかどうかを、前記装置と前記デバイスとの間の少なくとも１つの決定された距離に関連する表示に基づいて制御する手段と、
前記少なくとも１つの機能の第１の集合を実行する要求を前記デバイスへ送信する手段と、
を備える装置。
［Ｃ１２０］  前記制御は、前記少なくとも１つの機能の第１の集合を実行することを前記デバイスに要求するように前記装置を動作可能にすることを備える、Ｃ１１９に記載の装置。
［Ｃ１２１］  前記制御は、少なくとも１つの機能の前記第１の集合を実行することを前記デバイスに要求しないように前記装置を動作不能にすることを備える、Ｃ１１９に記載の装置。
［Ｃ１２２］  前記表示が規定された基準を満たす時間量を決定する手段を更に備え、前記制御は前記決定された時間量に更に基づく、Ｃ１１９に記載の装置。
［Ｃ１２３］  前記表示を規定された閾値と比較する手段を更に備え、もし前記表示が前記規定された閾値よりも小さいか前記規定された閾値と等しければ、前記制御は、前記少なくとも１つの機能の第１の集合を実行することを前記デバイスに要求するように前記装置を動作可能にすることを備える、Ｃ１１９に記載の装置。
［Ｃ１２４］  前記表示を生成する手段を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ１２３に記載の装置。
［Ｃ１２５］  前記表示を規定された閾値と比較する手段を更に備え、もし前記表示が前記規定された閾値よりも大きいか前記規定された閾値と等しければ、前記制御は、少なくとも１つの機能の前記第１の集合を実行することを前記デバイスに要求しないように前記装置を動作不能にすることを備える、Ｃ１１９に記載の装置。
［Ｃ１２６］  前記表示を生成する手段を更に備え、
前記表示は、
前記装置と前記デバイスとの間の決定された距離、
前記装置と前記デバイスとの間の相対距離における決定された変化率、又は
前記装置と前記デバイスとの間の決定された相対加速度
を備える、Ｃ１２５に記載の装置。
［Ｃ１２７］  前記表示を規定された値の範囲と比較する手段を更に備え、前記制御は、前記表示が前記規定された値の範囲に入るかどうかに更に基づく、Ｃ１１９に記載の装置。
［Ｃ１２８］  前記表示を生成する手段を更に備え、前記表示は、
前記装置と前記デバイスとの間の決定された距離、
前記装置と前記デバイスとの間の複数の決定された距離、
前記装置と前記デバイスとの間の相対距離における決定された変化率、又は
前記装置と前記デバイスとの間の決定された相対加速度
を備える、Ｃ１２７に記載の装置。
［Ｃ１２９］  前記少なくとも１つの決定された距離を決定する手段であって、前記少なくとも１つの決定された距離は、前記装置と前記デバイスとの間の複数の決定された距離を備える、手段と、
前記表示を生成する手段であって、前記表示は、前記複数の決定された距離に関連する決定されたシーケンスを備える、手段と、
表示を規定されたシーケンスと比較する手段と、
を更に備え、
前記制御は、前記表示が前記規定されたシーケンスと実質的に同じであるかどうかに更に基づく、Ｃ１１９に記載の装置。
［Ｃ１３０］  前記決定されたシーケンスは、
前記装置と前記デバイスとの間の決定された距離のシーケンス、
前記装置と前記デバイスとの間の相対距離における決定された変化率のシーケンス、又は
前記装置と前記デバイスとの間の決定された相対加速度のシーケンス
を備える、Ｃ１２９に記載の装置。
［Ｃ１３１］  前記少なくとも１つの機能の第１の集合は、少なくとも１つの第１の機能及び少なくとも１つの第２の機能を備え、
前記少なくとも１つの決定された距離は、前記装置と前記デバイスとの間の少なくとも１つの第１の決定された距離を備え、及び前記装置と前記デバイスとの間の少なくとも１つの第２の決定された距離を更に備え、
前記表示は、前記少なくとも１つの第１の決定された距離に関連する第１の下位表示を備え、及び前記少なくとも１つの第２の決定された距離に関連する第２の下位表示を更に備え、
前記制御する手段は、前記少なくとも１つの第１の機能を実行するように前記デバイスに要求することを前記装置が許されるかどうかを前記第１の下位表示に基づいて制御し、及び前記少なくとも１つの第２の機能を実行するように前記デバイスに要求することを前記装置が許されるかどうかを前記第２の下位表示に基づいて更に制御する、Ｃ１１９に記載の装置。
［Ｃ１３２］  前記第１の下位表示は、前記装置と前記デバイスとの間の第１の距離、前記装置と前記デバイスとの間の相対距離における第１の変化率、又は前記装置と前記デバイスとの間の第１の相対加速度を備え、
前記第２の下位表示は、前記装置と前記デバイスとの間の第２の距離、前記装置と前記デバイスとの間の相対距離における第２の変化率、又は前記装置と前記デバイスとの間の第２の相対加速度を備える、Ｃ１３１に記載の装置。
［Ｃ１３３］  前記装置と前記デバイスとの間の前記少なくとも１つの距離を反復して決定する手段を更に備え、
前記制御する手段は、
前記少なくとも１つの機能の第１の集合を実行することを前記デバイスに要求するように前記装置を動作可能にすること、又は
前記少なくとも１つの機能の第１の集合を実行することを前記デバイスに要求しないように前記装置を動作不能にすること
を継続するかどうかを、前記反復して決定された少なくとも１つの距離に基づいて反復して決定する、Ｃ１１９に記載の装置。
［Ｃ１３４］  前記制御する手段は、少なくとも１つの公開又は秘密暗号鍵に基づいて前記デバイスを前記装置に対して認証する手段を備える、Ｃ１１９に記載の装置。
［Ｃ１３５］  入力する手段を更に備え、
前記制御する手段は、
前記装置の前記入力する手段の作動の時間を表す第１の表示を獲得し、
前記デバイスの入力する手段の作動の時間を表す第２の表示を受け取り、
前記第１の表示を前記第２の表示と比較して、前記装置の前記入力する手段の作動が、前記デバイスの前記入力する手段の作動と実質的に同時に起こったかどうかを決定する、Ｃ１１９に記載の装置。
［Ｃ１３６］  前記制御する手段は、前記装置の機能性を動作可能にして前記要求を生成する、Ｃ１１９に記載の装置。
［Ｃ１３７］  表示する手段を更に備え、
前記機能性を動作可能にすることは、前記表示する手段上に表示を提供することを備える、Ｃ１３６に記載の装置。
［Ｃ１３８］  前記装置と前記デバイスとの間の前記少なくとも１つの距離を、到着時刻の測定に基づいて決定する手段を更に備える、Ｃ１１９に記載の装置。
［Ｃ１３９］  前記デバイスから測距関連情報を受け取る手段を更に備え、
前記装置は、前記装置と前記デバイスとの間の前記少なくとも１つの距離を、前記測距関連情報に基づいて決定する手段を更に備える、Ｃ１１９に記載の装置。
［Ｃ１４０］  前記デバイスから超広帯域パルスを受け取る手段を更に備え、
前記装置は、前記装置と前記デバイスとの間の前記少なくとも１つの距離を、前記超広帯域パルスに基づいて決定する手段を更に備える、Ｃ１１９に記載の装置。
［Ｃ１４１］  前記超広帯域パルスは、おおよそ２０％以上の比帯域幅を有し、おおよそ５００ＭＨｚ以上の帯域幅をし、又は、おおよそ２０％以上の比帯域幅で且つおおよそ５００ＭＨｚ以上の帯域幅を有する、Ｃ１４０に記載の装置。
［Ｃ１４２］  前記少なくとも１つの機能の第１の集合は、接続を確立すること、情報へのアクセスを提供すること、前記装置と前記デバイスを対にすること、ディジタルライツを移転すること、及びデバイスの設定を修正することから成る群の少なくとも１つを備える、Ｃ１１９に記載の装置。
［Ｃ１４３］  機能性を制御するコンピュータ・プログラムプロダクトであって、
コンピュータ読み取り可能メディアを備え、
前記コンピュータ読み取り可能メディアは、少なくとも１つのコンピュータに、
少なくとも１つの機能の第１の集合を実行するように第２のデバイスに要求することを第１のデバイスが許されるかどうかを、前記第１のデバイスと前記第２のデバイスとの間の少なくとも１つの決定された距離に関連する表示に基づいて制御させ、
前記少なくとも１つの機能の第１の集合を実行する要求を前記第２のデバイスへ送信させるための実行可能なコードを備える、コンピュータ・プログラムプロダクト。
［Ｃ１４４］  機能性を制御するヘッドセットであって、
少なくとも１つの機能の第１の集合を実行するようにデバイスに要求することを前記ヘッドセットが許されるかどうかを、前記ヘッドセットと前記デバイスとの間の少なくとも１つの決定された距離に関連する表示に基づいて制御するように適応されたコントローラと、
前記少なくとも１つの機能の第１の集合を実行する要求を前記デバイスへ送信するように適応された送信機と、
少なくとも１つの機能の第１の集合を実行するように前記デバイスに要求することを前記ヘッドセットが許されるかどうかに基づいて可聴出力を提供するように適応されたトランスデューサと、
を備えるヘッドセット。
［Ｃ１４５］  機能性を制御する時計であって、
少なくとも１つの機能の第１の集合を実行するようにデバイスに要求することを前記時計が許されるかどうかを、前記時計と前記デバイスとの間の少なくとも１つの決定された距離に関連する表示に基づいて制御するように適応されたコントローラと、
前記少なくとも１つの機能の第１の集合を実行する要求を前記デバイスへ送信するように適応された送信機と、
前記送信機を経由して送信されるべき信号を提供するように適応された入力デバイスと、
を備える腕時計。
［Ｃ１４６］  機能性を制御する医療用デバイスであって、
少なくとも１つの機能の第１の集合を実行するようにデバイスに要求することを前記医療用デバイスが許されるかどうかを、前記医療用デバイスと前記デバイスとの間の少なくとも１つの決定された距離に関連する表示に基づいて制御するように適応されたコントローラと、
前記少なくとも１つの機能の第１の集合を実行する要求を前記デバイスへ送信するように適応された送信機と、
前記送信機を経由して送信されるべき感知信号を生成するように適応されたセンサと、
を備える医療用デバイス。
【図１】
0006013411.tif 000002
【図２】
0006013411.tif 000003
【図３Ａ】
0006013411.tif 000004
【図３Ｂ】
0006013411.tif 000005
【図４】
0006013411.tif 000006
【図５】
0006013411.tif 000007
【図６】
0006013411.tif 000008
【図７】
0006013411.tif 000009
【図８】
0006013411.tif 000010
【図９】
0006013411.tif 000011
【図１０】
0006013411.tif 000012